(57)【特許請求の範囲】
【請求項１】
遊技を１回ずつ実行する遊技機において、
前記遊技において発生する結果に応じた演出を発生させるか否かの抽選に用いる演出抽選確率を記憶する演出抽選テーブルとして、
前記演出抽選確率が記憶されている発生テーブルと、
この発生テーブルに記憶されている演出抽選確率よりも低い演出抽選確率が記憶されている抑制テーブルとを有し、
前記演出抽選テーブルの演出抽選確率に基づいて演出を発生させるか否かの抽選をする演出発生抽選手段と、
前記演出発生抽選手段が前記抽選に用いる前記演出抽選テーブルとして前記発生テーブルを用いるか又は前記抑制テーブルを用いるかを決定するための抑制カウンタ値を記憶する抑制カウンタ記憶手段と、
前記抑制カウンタ値を設定する抑制カウンタ設定手段と、
前記抑制カウンタ値が所定の閾値を超えていれば前記演出発生抽選手段の抽選に用いる前記演出抽選テーブルとして前記抑制テーブルを選択するとともに前記抑制カウンタ値が前記閾値以下であれば前記発生テーブルを選択する演出抽選テーブル選択手段と
を備え、
前記抑制カウンタ設定手段は、
前記抑制カウンタ値に前記遊技において発生する結果に応じた新たな数値を設定するか否かを決定するための抑制カウンタ再設定決定手段と、
１回の遊技が行われる毎に前記閾値以下の値へ向かって前記抑制カウンタ値を所定の値だけ減算する抑制カウンタ減算手段と
を備え、
前記抑制カウンタ再設定決定手段は、
前記抑制カウンタ値に新たな数値を設定するか否かを決定するための抽選を行う抑制カウンタ設定抽選手段を備え、
前記抑制カウンタ設定手段は、
前記抑制カウンタ値が前記閾値を超えているときに前記抑制カウンタ値に新たな数値を設定するか否かを決定するための前記抑制カウンタ設定抽選手段による抽選の結果に基づき前記抑制カウンタ値に新たな数値を設定すると決定した場合は、前記抑制カウンタ再設定決定手段により決定された新たな数値を、前記演出抽選テーブル選択手段が参照する際の抑制カウンタ値として設定するものの、
前記抽選の結果に応じた新たな抑制カウンタ値が遊技開始時の抑制カウンタ値より大きいときには、前記抑制カウンタ設定手段は、前記抑制カウンタ再設定決定手段が決定した数値を抑制カウンタ値として設定しないことを特徴とする遊技機。
【請求項２】
遊技を１回ずつ実行する遊技機において、
前記遊技において発生する結果に応じた演出を発生させるか否かの抽選に用いる演出抽選確率を記憶する演出抽選テーブルとして、
前記演出抽選確率が記憶されている発生テーブルと、
この発生テーブルに記憶されている演出抽選確率よりも低い演出抽選確率が記憶されている抑制テーブルとを有し、
前記演出抽選テーブルの演出抽選確率に基づいて演出を発生させるか否かの抽選をする演出発生抽選手段と、
前記演出発生抽選手段が前記抽選に用いる前記演出抽選テーブルとして前記発生テーブルを用いるか又は前記抑制テーブルを用いるかを決定するための抑制カウンタ値を記憶する抑制カウンタ記憶手段と、
前記抑制カウンタ値を設定する抑制カウンタ設定手段と、
前記抑制カウンタ値が所定の閾値未満であれば前記演出発生抽選手段の抽選に用いる前記演出抽選テーブルとして前記抑制テーブルを選択するとともに前記抑制カウンタ値が前記閾値以上であれば前記発生テーブルを選択する演出抽選テーブル選択手段と
を備え、
前記抑制カウンタ設定手段は、
前記抑制カウンタ値に前記遊技において発生する結果に応じた新たな数値を設定するか否かを決定するための抑制カウンタ再設定決定手段と、
１回の遊技が行われる毎に前記閾値以上の値へ向かって前記抑制カウンタ値を所定の値だけ加算する抑制カウンタ加算手段と
を備え、
前記抑制カウンタ再設定決定手段は、
前記抑制カウンタ値に新たな数値を設定するか否かを決定するための抽選を行う抑制カウンタ設定抽選手段を備え、
前記抑制カウンタ設定手段は、
前記抑制カウンタ値が前記閾値未満であるときに前記抑制カウンタ値に新たな数値を設定するか否かを決定するための前記抑制カウンタ設定抽選手段による抽選の結果に基づき前記抑制カウンタ値に新たな数値を設定すると決定した場合は、前記抑制カウンタ再設定決定手段により決定された新たな数値を、前記演出抽選テーブル選択手段が参照する際の抑制カウンタ値として設定するものの、
前記抽選の結果に応じた新たな抑制カウンタ値が遊技開始時の抑制カウンタより小さいときには、抑制カウンタ設定手段は、抑制カウンタ再設定決定手段が決定した数値を抑制カウンタ値として設定しないことを特徴とする遊技機。
【発明の詳細な説明】
【技術分野】
【０００１】
本発明は、遊技において発生する結果に応じた演出の発生頻度を変更させることで、遊技者の遊技に対する興味を維持させることができる遊技機に関する。
【背景技術】
【０００２】
通常、スロットマシン等の遊技機は、所定の役に当選しているか否かを役抽選手段により抽選し、その抽選の結果で所定の役に当選した上で当選した図柄の組み合わせを所定の位置に停止させることにより入賞となり、遊技者に対して所定の利益となるメダルの払い出しが行われる。
更に、上述したような遊技とともに、画像や音声等を用いた演出を行って、遊技者の遊技に対する興味や関心を高めるようにした遊技機が使用されている。
このような演出を行う遊技機は、抽選処理により演出を実施するか否かが決定されるものがある。この場合、演出の実施が抽選により決定されるため、抽選の当否により演出の発生が偏ってしまう場合があり、たとえば演出が発生しない場合が続くと遊技者が退屈になってしまう。
【０００３】
そのような状態を避けるため、演出の実施状況に応じて演出の実施頻度を定めることにより、長く遊技を継続しても演出の進行が単調にならず、遊技者の遊技及び演出に対する興味や関心を維持させる遊技機が検討されている（たとえば特許文献１）。
特許文献１に記載された発明は、実施した各々の演出に設定された演出値を用いて演算値を算出し、所定の期間における演算値の累積値に対応した実施確率で演出を実施するか否かを定めている。
【先行技術文献】
【特許文献】
【０００４】
【特許文献１】特開２００９−２４７６０９号公報
【発明の概要】
【発明が解決しようとする課題】
【０００５】
特許文献１に記載された従来の技術では、演出に設定された演出値を用いて演出の実施確率を定めるための演算値を定めてある。この演出値は、演出の内容によって一義的に決定されている（図１９）。このため、長く遊技を実施すると遊技者は演出の出現頻度が予想できてしまい、演出の発生が単調になり、演出及び遊技に対する興味や関心が低下するという問題点がある。
上記の問題点に鑑み、本願における請求項１記載の発明は、遊技者の遊技に対する興味を維持させることができるとともに、遊技者が抱く関心を高めることができる遊技機を提供することを目的とする。
【０００６】
更に請求項1記載の発明は、高確率で演出を発生させることができる状態へ確実に移行させることができる遊技機を提供することを目的とする。
【０００７】
請求項２記載の発明は、遊技者の遊技に対する興味を維持させることができるとともに、遊技者が抱く関心を高めることができる遊技機を提供することを目的とする。
更に、請求項２記載の発明は、高確率で演出を発生させることができる状態へ確実に移行させることができる遊技機を提供することを目的とする。
【課題を解決するための手段】
【０００９】
（請求項１）
請求項１記載の発明は、遊技を１回ずつ実行する遊技機10において、前記遊技において発生する結果に応じた演出を発生させるか否かの抽選に用いる演出抽選確率を記憶する演出抽選テーブル230として、前記演出抽選確率が記憶されている発生テーブル232と、この発生テーブル232に記憶されている演出抽選確率よりも低い演出抽選確率が記憶されている抑制テーブル234とを有し、前記演出抽選テーブル230の演出抽選確率に基づいて演出を発生させるか否かの抽選をする演出発生抽選手段220と、前記演出発生抽選手段220が前記抽選に用いる前記演出抽選テーブル230として前記発生テーブル232を用いるか又は前記抑制テーブル234を用いるかを決定するための抑制カウンタ値を記憶する抑制カウンタ記憶手段240と、前記抑制カウンタ値を設定する抑制カウンタ設定手段245と、前記抑制カウンタ値が所定の閾値を超えていれば前記演出発生抽選手段220の抽選に用いる前記演出抽選テーブル230として前記抑制テーブル234を選択するとともに前記抑制カウンタ値が前記閾値以下であれば前記発生テーブル232を選択する演出抽選テーブル選択手段210とを備え、前記抑制カウンタ設定手段245は、前記抑制カウンタ値に前記遊技において発生する結果に応じた新たな数値を設定するか否かを決定するための抑制カウンタ再設定決定手段250と、１回の遊技が行われる毎に前記閾値以下の値へ向かって前記抑制カウンタ値を所定の値だけ減算する抑制カウンタ減算手段270とを備え、前記抑制カウンタ再設定決定手段250は、前記抑制カウンタ値に新たな数値を設定するか否かを決定するための抽選を行う抑制カウンタ設定抽選手段252を備え、前記抑制カウンタ設定手段245は、前記抑制カウンタ値が前記閾値を超えているときに前記抑制カウンタ値に新たな数値を設定するか否かを決定するための前記抑制カウンタ再設定決定手段250が前記抑制カウンタ設定抽選手段252による抽選の結果に基づき前記抑制カウンタ値に新たな数値を設定すると決定した場合は、前記抑制カウンタ再設定決定手段250により決定された新たな数値を、前記演出抽選テーブル選択手段210が参照する際の抑制カウンタ値として設定するものの、前記抽選の結果に応じた新たな抑制カウンタ値が遊技開始時の抑制カウンタ値より大きいときには、前記抑制カウンタ設定手段245は、前記抑制カウンタ再設定決定手段250が決定した数値を抑制カウンタ値として設定しないことを特徴とする。
【００１０】
ここで、「遊技において発生する結果」とは、役抽選の結果、入賞判定の結果等、遊技の過程又は終了時において導出される種々の情報が含まれる。
本発明では、抑制カウンタ再設定決定手段250が、抑制カウンタ値を遊技において発生する結果に応じた数値に設定する。また、抑制カウンタ減算手段270は、所定の場合に１回の遊技が行われる毎に抑制カウンタ値を所定の値だけ減算する。
このため、遊技の回数に基づいて演出が発生し易くなる状態を生成し遊技者の興趣を維持することができる。さらに、演出が発生し易くなる状態を生成するまでの遊技回数と、遊技において発生する結果との関連づけをすることができる。このため、遊技者に対して、遊技において発生する結果が発生してから実際に演出が発生するまでの遊技の回数に関心を持たせることができ、遊技者の遊技に対する興味を維持させることができる。
【００１１】
また、抑制カウンタ設定抽選手段252は、抑制カウンタ値に新たな数値を設定するか否
かを決定するための抽選を行うため、遊技において発生する結果が複数回発生した場合、どの時点で発生した「遊技において発生する結果」が、「演出を発生し易くする状態を生成するまでの遊技回数」と関連づけられるかは抽選の結果次第となる。このため、遊技において発生する結果と、実際に演出が発生するまでの遊技の回数との関連性が複雑なものとなり、遊技において発生する結果が発生してから実際に演出が発生するまでの遊技の回数に対する遊技者が抱く関心を高めることができる。
【００１３】
更に、本発明によれば、抑制カウンタ値は遊技毎に減ることのみとなり、抑制カウンタ値は遊技毎に前記閾値以下へ向かって確実に向かうことになる。演出抽選テーブル230として抑制テーブル234を使用する状態が、遊技を進めて遊技回数を積み重ねることで確実に終息する方向へ向かうことが保証される。すなわち、遊技を進めることで、演出抽選テーブル230として抑制テーブル234を使用する状態から発生テーブル232を使用する状態へ確実に移行させることが可能となり、高確率で演出を発生させることができる状態へ確実に移行させることができる。
【００１６】
（請求項２）
請求項２記載の発明は、次の点を特徴とする。すなわち、遊技を１回ずつ実行する遊技機10において、前記遊技において発生する結果に応じた演出を発生させるか否かの抽選に用いる演出抽選確率を記憶する演出抽選テーブル230として、前記演出抽選確率が記憶されている発生テーブル232と、この発生テーブル232に記憶されている演出抽選確率よりも低い演出抽選確率が記憶されている抑制テーブル234とを有し、前記演出抽選テーブル230の演出抽選確率に基づいて演出を発生させるか否かの抽選をする演出発生抽選手段220と、前記演出発生抽選手段220が前記抽選に用いる前記演出抽選テーブル230として前記発生テーブル232を用いるか又は前記抑制テーブル234を用いるかを決定するための抑制カウンタ値を記憶する抑制カウンタ記憶手段240と、前記抑制カウンタ値を設定する抑制カウンタ設定手段245と、前記抑制カウンタ値が所定の閾値未満であれば前記演出発生抽選手段220の抽選に用いる前記演出抽選テーブル230として前記抑制テーブル234を選択するとともに前記抑制カウンタ値が前記閾値以上であれば前記発生テーブル232を選択する演出抽選テーブル選択手段210とを備え、前記抑制カウンタ設定手段245は、前記抑制カウンタ値に前記遊技において発生する結果に応じた新たな数値を設定するか否かを決定するための抑制カウンタ再設定決定手段250と、１回の遊技が行われる毎に前記閾値以上の値へ向かって前記抑制カウンタ値を所定の値だけ加算する抑制カウンタ加算手段272とを備え、前記抑制カウンタ再設定決定手段250は、前記抑制カウンタ値に新たな数値を設定するか否かを決定するための抽選を行う抑制カウンタ設定抽選手段252を備え、前記抑制カウンタ設定手段245は、前記抑制カウンタ値が前記閾値未満であるときに前記抑制カウンタ値に新たな数値を設定するか否かを決定するための前記抑制カウンタ設定抽選手段252による抽選の結果に基づき前記抑制カウンタ値に新たな数値を設定すると決定した場合は、前記抑制カウンタ再設定決定手段250により決定された新たな数値を、前記演出抽選テーブル選択手段210が参照する際の抑制カウンタ値として設定するものの、前記抽選の結果に応じた新たな抑制カウンタ値が遊技開始時の抑制カウンタ値より小さいときには、前記抑制カウンタ設定手段245は、前記抑制カウンタ再設定決定手段250が決定した数値を抑制カウンタ値として設定しないことを特徴とする。
【００１７】
ここで、「遊技において発生する結果」とは、役抽選の結果、入賞判定の結果等、遊技の過程又は終了時において導出される種々の情報が含まれる。
本発明では、抑制カウンタ再設定決定手段250が、抑制カウンタ値を遊技において発生する結果に応じた数値に設定する。また、抑制カウンタ加算手段272は、所定の場合に１回の遊技が行われる毎に抑制カウンタ値を所定の値だけ加算する。
このため、遊技の回数に基づいて演出が発生し易くなる状態を生成し遊技者の興趣を維持することができる。さらに、演出が発生し易くなる状態を生成するまでの遊技回数と、遊技において発生する結果との関連づけをすることができる。このため、遊技者に対して、遊技において発生する結果が発生してから実際に演出が発生するまでの遊技の回数に関心を持たせることができ、遊技者の遊技に対する興味を維持させることができる。
【００１８】
また、抑制カウンタ設定抽選手段252は、抑制カウンタ値に新たな数値を設定するか否
かを決定するための抽選を行うため、遊技において発生する結果が複数回発生した場合、どの時点で発生した「遊技において発生する結果」が、「演出を発生し易くする状態を生成するまでの遊技回数」と関連づけられるかは抽選の結果次第となる。このため、遊技において発生する結果と、実際に演出が発生するまでの遊技の回数との関連性が複雑なものとなり、遊技において発生する結果が発生してから実際に演出が発生するまでの遊技の回数に対する遊技者が抱く関心を高めることができる。
【００２０】
更に、請求項２記載の発明によれば、抑制カウンタ値は遊技毎に増えることのみとなり、抑制カウンタ値は遊技毎に前記閾値以上の値へ確実に向かうことになる。演出抽選テーブル230として抑制テーブル234を使用する状態が、遊技を進めて遊技回数を積み重ねることで確実に終息する方向へ向かうことが保証される。すなわち、遊技を進めることで、演出抽選テーブル230として抑制テーブル234を使用する状態から発生テーブル232を使用する状態へ確実に移行させることが可能となり、高確率で演出を発生させることができる状態へ確実に移行させることができる。
【発明の効果】
【００２４】
本発明は、以上のように構成されているので、以下に記載されるような効果を奏する。
請求項１記載の発明によれば、遊技者の遊技に対する興味を維持させることができるとともに、遊技者が抱く関心を高めることができる遊技機を提供することができる。
更に請求項１記載発明では、高確率で演出を発生させることができる状態へ確実に移行させることができる遊技機を提供することができる。
【００２５】
請求項２記載の発明によれば、遊技者の遊技に対する興味を維持させることができるとともに、遊技者が抱く関心を高めることができる遊技機を提供することができる。
【００２６】
更に、請求項２記載の発明は、高確率で演出を発生させることができる状態へ確実に移行させることができる遊技機を提供することができる。
【図面の簡単な説明】
【００２８】
【図１】本発明の第１の実施の形態であって、遊技機を示す外観正面図である。
【図２】本発明の第１の実施の形態であって、各リールに記載されている図柄の配置を示す図である。
【図３】本発明の第１の実施の形態であって、遊技機の入力、制御及び出力を示すブロック図である。
【図４】本発明の第１の実施の形態であって、役と役に対応した図柄の組み合わせとの関係を示す図である。
【図５】本発明の第１の実施の形態であって、当選役グループを示す図である。
【図６】本発明の第１の実施の形態であって、（１）は抑制テーブル、（２）は発生テーブル、（３）はカウンタ設定抽選用抽選テーブルを示す図である。
【図７】本発明の第１の実施の形態であって、遊技機の動作の概略を示すフローチャートである。
【図８】本発明の第１の実施の形態であって、演出設定処理を示すフローチャートである。
【図９】本発明の第１の実施の形態であって、遊技機の動作状態を示す図である。
【図１０】本発明の第２の実施の形態であって、（１）は抑制テーブル、（２）は発生テーブル、（３）はカウンタ設定抽選用抽選テーブルを示す図である。
【図１１】本発明の第２の実施の形態であって、演出設定処理を示すフローチャートである。
【図１２】本発明の第２の実施の形態であって、遊技機の動作状態を示す図である。
【図１３】本発明の第３の実施の形態であって、演出設定処理を示すフローチャートである。
【図１４】本発明の第４の実施の形態であって、演出設定処理を示すフローチャートである。
【図１５】本発明の第５の実施の形態であって、演出設定処理を示すフローチャートである。
【図１６】本発明の第６の実施の形態であって、演出設定処理を示すフローチャートである。
【図１７】本発明の第７の実施の形態であって、カウンタ設定抽選用抽選テーブルの変形例を示すものである。
【発明を実施するための形態】
【００２９】
（第１の実施の形態）
本明細書では、各説明箇所において、方向についての定義等が示されていない場合には、遊技機10の方を向いて位置している遊技者から見て、遊技機10から遊技者の手前側に向かう方向を「前方向」とし、その逆方向を「後方向」とする。また、同様に、「左方向」や「右方向」等の左右方向も、遊技者から見た場合の左方向や、右方向を意味する。同様に、各部材の説明においても、方向についての定義等が示されていない場合には、各部材を、遊技機10の所定位置に固定した状態における遊技者から見た方向を意味する。
本実施の形態に係る遊技機10としてのスロットマシンを、以下、図１を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００３０】
前扉14の上部には、薄板樹脂からなる上パネル20を備えている。この上パネル20の略中央には、３個のリール62の円周上の図柄を見ることができる透過可能な表示窓16が形成されている。この表示窓16は、３個全てのリール62の回転が停止した際には、縦３列横３行に配置した合計９個の図柄を遊技者に見せるように形成されている。
表示窓16の奥には、３個の駆動モータによって図柄表示手段としてのリール62を回転させるためのリールユニット60が配置されている。
また、前扉14には、遊技者に役抽選の当選等を音や光や映像で報知させる報知手段が形成されている。この報知手段は、前扉14に配置されたスピーカー72と、液晶表示器84と、演出用ランプ78とを備えている。
【００３１】
スピーカー72は、前扉14の上部左右に配置された上部スピーカー74と、前扉14の下部左右に配置された下部スピーカー76とを備えている。
液晶表示器84は、その画面に種々の映像を表示するための表示デバイスであり、動画を含んだ映像の表示を行うための演出ユニットを構成するものである。
演出用ランプ78は、前扉14の上部に配置された上部ランプ80と、前扉14の下部に配置された下部ランプ82とを備えている。
また、前扉14の下部には下パネル22が設けられている。そして、前扉14には下パネル22の上に位置して前扉14の前方向へ向けて突出する操作部30を備えている。
【００３２】
本実施の形態に係る遊技機10には、遊技開始の条件として投入するためのメダルを後述するメダル投入口38からあらかじめ投入して、最大５０枚までクレジットメダルとして内部に貯留可能なクレジット機能を有している。なお、このクレジットメダルとして貯留可能な最大枚数である５０枚を最大クレジットメダル数とする。
操作部30の右側には、遊技媒体としてのメダルを投入するためのメダル投入口38が設けられている。また、前扉14の裏面における、メダル投入口38の裏側に相当する位置には、メダル投入口38に投入されたメダルを処理するためのメダル処理ユニットが設けられている。
【００３３】
メダル処理ユニットは、賭け数の設定が可能な状態のときには、メダル投入口38に投入されたメダルを後述のホッパーユニットへ誘導し、賭け数の設定が不可能な状態のときには、メダル投入口38に投入されたメダルを後述のメダル払出口28に誘導するためのものである。
また、メダル投入口38の下には、クレジット機能によりクレジットしたメダルの全てを払い出すための精算スイッチ36が設けられている。この精算スイッチ36の左側には、操作により対応するリール62の回転を停止させるため、３個のリール62のそれぞれに対応する３個のストップスイッチ50が設けられている。このストップスイッチ50の左側には、リール62の回転を開始させるためのスタートスイッチ40が設けられている。このスタートスイッチ40の上には、クレジットしたメダル数を３枚減じて３枚のメダル投入に代えるマックスベットスイッチ34と、クレジットしたメダル数を１枚減じて１枚のメダル投入に代えるシングルベットスイッチ32とが設けられている。
【００３４】
前記前扉14の下部の奥には、いわゆるホッパーユニットであって、メダルを貯留することができるとともに、メダルを払い出すことができる貯留払出手段24（図３参照）と、電源投入又は電源遮断のための操作が可能な電源スイッチを有すると共に各部品に電力を供給するための電源装置（図示せず）とが配置されている。
そして、前扉14の下部には、貯留払出手段24からメダルが払い出されるメダル払出口28が形成されている。このメダル払出口28の下方には、メダル払出口28から払い出されたメダルを貯留するため、上方に向かって開口する皿状のメダル受け皿26が形成されている。
また、各リール62の表面には、図２に示すように、赤７、白7、青7、ベルＡ、ベルＢ、スイカ、リプレイ、チェリーに対応した図柄が記載されている。各リール62の表面には、最大２１個の図柄が記載可能な箇所が設けられている。各図柄が記載可能な位置には、０から２０までの数値からなるコマ番号が付与されている。なお、図中の空白部分には、いずれの図柄も記載されていない。
【００３５】
図３に示すように、遊技機10の内部には、遊技機10の全体の動作を制御するための制御装置100が形成されている。制御装置100は、遊技を進行させて遊技状態を制御するメイン制御部110と、このメイン制御部110からの信号を受けて、遊技内容に関する情報を遊技者に報知する演出を行うために演出状態を制御する演出制御部200とを備えている。メイン制御部110は、後述の役抽選を行うとともに、リールユニット60及び貯留払出手段24の作動を制御する。演出制御部200は、メイン制御部110から信号を入力し、液晶表示器84等の報知手段の作動を制御する。演出制御部200の出力側には、報知手段としてのスピーカー72、液晶表示器84、演出用ランプ78の各パーツが接続されている。
【００３６】
制御装置100は、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域として使用される。
メイン制御部110は、遊技制御手段120、役抽選手段130、停止制御手段140、停止図柄判定手段150及び利益付与手段160の各手段を有する。各手段の詳細については後述する。
以上の構成をもって、メイン制御部110は、遊技の進行を行う手段として機能することとなる。
【００３７】
また、演出制御部200は、演出抽選テーブル230、演出発生抽選手段220、演出選択抽選手段225、抑制カウンタ記憶手段240、演出抽選テーブル選択手段210、抑制カウンタ設定手段245及び演出装置駆動手段280の各手段を有する。各手段の詳細については後述する。
以上の構成をもって、演出制御部200は、遊技の状態に応じた演出を制御する手段として機能することとなる。
遊技制御手段120は、遊技を制御するためのものであって、メイン遊技を実行するためのものである。以下、本実施の形態による遊技について説明する。
メダル投入口38にメダルが投入される、また、ベットスイッチが操作されることにより、１回の遊技に必要な賭け数（規定数）が設定されると、１本の入賞ライン86（図１参照）が設定される。なお、本実施の形態に係る遊技機10は、規定数として３が設定されている。そして、規定数の賭け数が設定されていることを条件に、スタートスイッチ40を操作すると、賭け数が確定し、以降の賭け数の設定が不可能な状態となる。また、後述の役抽選手段130により、複数の役のいずれかに当選したか又はハズレかの抽選（役抽選）が行われる。また、役抽選とほぼ同時に、３個すべてのリール62の回転が開始する。
【００３８】
そして、リール62の回転開始後、リール62が所定の回転速度に達すると、ストップスイッチ50の操作が可能な状態となる。
その後に、３個のストップスイッチ50のうち１個を操作すると、当該ストップスイッチ50に対応したリール62の回転が停止する。そして、３個すべてのストップスイッチ50の操作を終えると、３個すべてのリール62の回転が停止する。
このとき、入賞ライン86上に所定の図柄の組み合わせが揃うと、当該図柄の組み合わせに対応した処理が行われる。
そして、次回の遊技のために、賭け数の設定が可能な状態となる。
【００３９】
また、本実施の形態では、メイン遊技として、通常遊技と特別遊技とが設けられている。通常遊技とは、通常に行われる遊技、すなわちボーナス遊技へ移行していない遊技である。また、特別遊技とは、後述のボーナス遊技へ移行している遊技である。つまり、本実施の形態では、メイン遊技の遊技状態として、通常遊技が実行されている状態である通常遊技状態と、ボーナス遊技が実行されている特別遊技状態とが設けられている。
ボーナス遊技は、特別役であるボーナス移行役に当選し、さらにボーナス移行役に対応した図柄の組み合わせが入賞ライン86上に揃うと、揃った遊技の次回の遊技から開始される遊技である。なお、ボーナス移行役は、当選時の遊技で入賞ライン86上にボーナス移行役に対応する図柄の組み合わせが揃わなくても、次回の遊技以降、入賞ライン86上にボーナス移行役に対応する図柄の組み合わせが揃うまでボーナス移行役に当選した状態が有効であるが、その他の役は、当選時の遊技で入賞ライン86上に役に対応する図柄の組み合わせが揃わなければ、次回の遊技以降は無効となる。なお、ボーナス移行役に当選した次回の遊技から、入賞ライン86上にボーナス移行役に対応する図柄の組み合わせが揃う遊技までの間を「内部当たり状態」という。ボーナス遊技は、ボーナス遊技へ移行していない遊技に比べ小役の当選確率が高くなるように設定されており、このため、通常遊技よりも遊技者に大きな利益が付与される可能性が高い遊技である。ボーナス遊技は、ボーナス遊技中の遊技者への払い出したメダルの総枚数が予め設定された枚数を超えたときに終了する。
【００４０】
また、入賞ライン86上に再遊技役に対応する図柄の組み合わせが揃うと、メダルの払い出しはないものの、次回の遊技において遊技者所有のメダルを使用することなく賭け数が自動的に設定され遊技を行うことができる。
役抽選手段130は、メイン制御部110が備える手段であり、スタートスイッチ40の操作を契機に、複数の役のいずれかに当選か又はハズレかの抽選（役抽選）を行うためのものである。
まず、本実施の形態の「役」について、図４を用いて、説明をする。
本実施の形態では、役として、大別すると、特別役（遊技状態の移行を伴う役）、小役（メダルの払い出しを伴う役）、再遊技役（遊技者所有のメダルを使用することなく次回の遊技を開始可能とする役）が設けられている。特別役としては、図４（１）に示すように、「ボーナス」が設けられている。また、小役としては、図４（２）〜（４）に示すように、「ベル１」〜「ベル８」、「スイカベル１」〜「スイカベル６」、「スイカナナ１」〜「スイカナナ３」、「チェリー」が設けられている。また、再遊技役としては、図４（５）に示すように、「リプレイ」が設けられている。なお、役に対応した図柄の組み合わせについては、後述する。
【００４１】
また、役抽選手段130は、役抽選用乱数発生手段と、役抽選用乱数抽出手段と、役抽選用抽選データと、役抽選用抽選データ選択手段と、役抽選判定手段とを備えている。
役抽選用乱数発生手段は、役抽選用の乱数を、所定の範囲内で発生させるためのものである。本実施の形態では、役抽選用乱数発生手段は、発振回路と、この発振回路が発生させたクロック信号をカウントするカウンタ回路によって構成されており、０〜１６３８３の範囲で役抽選用の乱数を発生させる。
役抽選用乱数抽出手段は、役抽選用乱数発生手段が発生させた乱数を、所定の契機で抽出するためのものである。本実施の形態では、スタートスイッチ40の操作を契機に役抽選用乱数発生手段が発生させた乱数を抽出する。
【００４２】
役抽選用抽選データは、役抽選用乱数発生手段が発生させる乱数の範囲内の当選領域を規定するデータであり、当選確率を規定するためのものである。本実施の形態では、１又は複数の役が対応付けられた当選役グループ毎に役抽選用抽選データが設けられている。また、本実施の形態では、役抽選用抽選データは、メイン遊技の遊技状態毎に設けられている。本実施の形態における「当選役グループ」と「役」との対応関係は図５に示すとおりである。図５中の「抽選データＡ」は、メイン遊技の遊技状態が通常遊技状態のときに使用される通常遊技用の役抽選用抽選データを示し、図５中の「抽選データＢ」は、メイン遊技の遊技状態が特別遊技状態のときに使用される特別遊技用の役抽選用抽選データを示す。また、図５に示すとおり、役抽選用抽選データは、当選役グループ毎に設けられている。また、役抽選用抽選データは、メイン制御部110のＲＯＭ上に所定の順序で記憶されている。
【００４３】
役抽選用抽選データ選択手段は、メイン遊技の遊技状態に応じて、役抽選用抽選データを順次選択するためのものである。本実施の形態では、メイン遊技の遊技状態に応じて、特別遊技用の役抽選用抽選データまたは通常遊技用の役抽選用抽選データのいずれかの役抽選用抽選データを選択する。また、役抽選用抽選データ選択手段は、後述の役抽選判定手段により、当選と判定されるまで、メイン制御部110のＲＯＭに記憶されている順序に従って、役抽選用抽選データを順次選択する。本実施の形態では、役抽選用抽選データ選択手段は、図５中の「抽選順序」に示す順序に従って、役抽選用抽選データを選択する。
役抽選判定手段は、役抽選用乱数抽出手段が抽出した乱数と、役抽選用抽選データ選択手段が選択した役抽選用抽選データとを照合して、当選か否かの判定を行うためのものである。本実施の形態では、役抽選判定手段は、役抽選用乱数抽出手段が抽出した乱数の値から役抽選用抽選データ選択手段が選択する役抽選用抽選データの値を順次減算し、減算の結果が０を下回ると、役抽選用乱数抽出手段が抽出した乱数が役抽選用抽選データ選択手段により選択された役抽選用抽選データの当選領域に属するため、当選と判定する。また、役抽選判定手段は、役抽選用抽選データ選択手段が選択する最後の役抽選用抽選データによっても当選と判定しない場合にはハズレと判定する。
【００４４】
以上の構成により、本実施の形態では、役抽選手段130は、図５に示す、当選役グループ毎に当否判定を行い、いずれかの当選役グループに当選した場合には、役抽選の結果として当選した当選役グループに対応する１又は複数の役に当選とし、いずれの当選役グループにも当選しなかった場合には、役抽選の結果としてハズレとする手段として機能する。
具体的には、例えば、図５（１）に示す、当選役グループ「重複ボーナス」は、チェリー及びボーナスの役が対応付けられている。そして、役抽選手段130は、当選役グループ「重複ボーナス」に当選したと判定すると、役抽選結果は、チェリー及びボーナスに重複当選（同時当選）となる。
【００４５】
また、他の当選役グループの例として、図５（２）に示す、当選役グループ「左押しベル１」は、ベル１、ベル２、ベル３、ベル４、ベル５、ベル６、ベル７、ベル８及びスイカベル１の役が対応付けられており、役抽選手段130は、当選役グループ「左押しベル１」に当選した判定すると、役抽選結果は、ベル１、ベル２、ベル３、ベル４、ベル５、ベル６、ベル７、ベル８及びスイカベル１に重複当選（同時当選）となる。
また、図５（１）に示すとおり、当選役グループ「重複ボーナス」に対応する特別遊技用の役抽選用抽選データには「０」が設定されている。このため、メイン遊技の遊技状態が特別遊技状態の場合、「ボーナス」に当選することはない。また、同様に、図５（３）に示すとおり、メイン遊技の遊技状態が特別遊技状態の場合、「リプレイ」に当選することもない。
【００４６】
また、図５（２）に示すとおり、小役に対応する当選役グループに対応する役抽選用抽選データは、特別遊技状態用の役抽選用抽選データの方が通常遊技状態用の役抽選用抽選データよりも大きな数値が設定されている。このため、メイン遊技の遊技状態が特別遊技状態の場合、通常遊技状態の場合よりも、高い確率で小役に当選することになる。
また、本実施の形態では、当選役グループ「左押しベル１」、「左押しベル２」、「中押しベル１」、「中押しベル２」、「右押しベル１」、「右押しベル２」の６種類の当選グループを総称して「ベル系当選役グループ」という。また、当選役グループ「スイカナナ１」、「スイカナナ２」、「スイカナナ３」の３種類を総称して「スイカ系当選役グループ」という。また、ベル系当選役グループおよびスイカ系当選役グループを用いて、当選役グループを分類することを「大分類」という。
【００４７】
停止制御手段140は、メイン制御部110が備える手段であり、各リール62の回転を停止させるためのものである。
また、停止制御手段140は、役抽選手段130による役抽選の結果、いずれかの役に当選している場合には、停止制御手段140は、当選した役（当選役）に対応した図柄の組み合わせがなるべく入賞ライン86上に停止するように、所定の引込み可能な範囲で、当選役に対応した各リール62の図柄を入賞ライン86上に停止させる。本実施の形態では、遊技者がストップスイッチ50を操作したときに入賞ライン86上を通過している図柄と、そこから４個（コマ）分の図柄までを、入賞ライン86上に停止可能としている。つまり、遊技者がストップスイッチ50を操作したタイミングで引き込み可能な範囲は５コマ（最大滑りコマ数は４コマ）に設定されている。
【００４８】
また、停止制御手段140は、役抽選手段130による役抽選の結果、特別役と小役に同時に当選している場合は、特別役に対応する図柄の組み合わせを優先的に入賞ライン86上に停止させる。
また、停止制御手段140は、役抽選手段130による役抽選の結果、複数の小役に同時に当選している場合は、最初に停止操作がされたストップスイッチ50がいずれであるかによって、優先的に入賞ライン86上に停止させる役が予め定められている。
また、停止制御手段140は、当選役以外の役の図柄の組み合わせが入賞ライン86上に停止しないように、各リール62の回転を停止させる。
【００４９】
以上のように、本実施の形態では、停止制御手段140は、役抽選手段130の抽選結果と、遊技者の各ストップスイッチ50に対する操作に基づいて、各リール62の回転を停止させる。
以下、図４および図５を用いて、具体的に説明する。
図４に本実施の形態の「役」と役に対応した図柄の組み合わせとの関係を示す。なお、図４中の「左リール」、「中リール」、「右リール」は、各リール62の入賞ライン86上の図柄を示す。また、図中の「（ＡＮＹ）」は、いずれの図柄でも良いことを示す。
図５に示す当選役グループ「重複ボーナス」に当選した場合について説明する。当選役グループ「重複ボーナス」に当選した場合、当選役は「ボーナス」及び「チェリー」である。このとき、停止制御手段140は、小役である「チェリー」よりも、特別役である「ボーナス」を優先的に入賞ライン86上に揃える。当選役「ボーナス」に対応する図柄の組み合わせは、「左リール」、「中リール」、「右リール」のいずれも「赤７」の図柄であることから、停止制御手段140は、すべてのリール62について、入賞ライン86上に「赤７」の図柄がなるべく停止するように、各リール62の回転を停止させる。ここで、左リール64には、「赤７」の図柄が１個しか記載されていない。つまり、「赤７」の図柄が記載されている間隔は、引き込み可能範囲より大きな間隔である。このため、遊技者がストップスイッチ50を操作したとき、左リール64の回転位置によっては、「赤７」の図柄を入賞ライン86上に停止させることができない。この場合、停止制御手段140は、同時に当選している小役「チェリー」に対応する図柄である図柄「チェリー」が入賞ライン86上になるべく停止するように左リール64の回転を停止させる。ここで、図柄「チェリー」も、引き込み可能範囲より大きな間隔で記載されているため、遊技者がストップスイッチ50を操作したときに左リール64の回転位置によっては、「チェリー」の図柄を入賞ライン86上に停止させることができない。この場合は、「赤７」及び「チェリー」以外の図柄を入賞ライン86上に停止させる。また、中リール66または右リール68に対応するストップスイッチ50が操作された場合、停止制御手段140は、「赤７」の図柄が入賞ライン86上に引き込み可能範囲内であれば「赤７」の図柄を入賞ライン86上に停止させ、「赤７」の図柄が入賞ライン86上に引き込み可能範囲内でなければ、「赤７」以外の図柄を入賞ライン86上に停止させる。
【００５０】
図５に示す当選役グループ「左押しベル１」、「左押しベル２」、「中押しベル１」、「中押しベル２」、「右押しベル１」、「右押しベル２」（以下、これら６種類の当選役グループを押し順付き当選役グループという）に当選した場合について説明する。
押し順付き当選役グループは、いずれも、図４（２）に示す小役を組み合わせて構成される。図５に示すとおり、押し順付き当選役グループに当選した場合には、「ベル１」〜「ベル８」に同時に当選し、かつ、「スイカベル１」〜「スイカベル６」のいずれかと同時に当選する。押し順付き当選役グループに当選した場合、停止制御手段140は、最初に停止操作がされたストップスイッチ50がいずれであるかによって、「ベル１」〜「ベル８」の役を構成する図柄を優先的に入賞ライン86上に停止させるか、「スイカベル１」〜「スイカベル６」のいずれかの役を構成する図柄を優先的に入賞ライン86上に停止させるか、が予め定められている。当選役グループと最初に停止操作がされたストップスイッチ50（「第１停止」）と入賞ライン86上に優先的に引き込む役（「入賞役」）との関係を、図５（２）に示す。ここで、「ベル１」〜「ベル８」を構成する図柄は、「ベルＡ」または「ベルＢ」であるが、「ベルＡ」または「ベルＢ」の図柄は、図２に示すとおり、各リール62において、引き込み可能範囲内の間隔で「ベルＡ」または「ベルＢ」のいずれかが記載されている。このため、「ベル１」〜「ベル８」に同時に当選した場合には、ストップスイッチ50の操作タイミングがどのようなタイミングであっても、入賞ライン86上に「ベル１」〜「ベル８」のいずれかの役の図柄の組み合わせを揃えることができる。一方、「スイカベル１」に対応する図柄の組み合わせは、図４（２）に示すとおり、「ベルＡ−スイカ−スイカ」であるが、図２に示すとおり、左リール64において、図柄「ベルＡ」は、引き込み可能範囲内の間隔で記載されていないため、左リール64に対応するストップスイッチ50の操作タイミングによっては、停止制御手段140は「ベルＡ」を入賞ライン86上に停止させることができず、「スイカベル1」に対応する図柄の組み合わせを入賞ライン86上に揃えることができない。「スイカベル２」〜「スイカベル６」についても同様である。
【００５１】
このように、押し順付き当選役グループに当選した場合、停止制御手段140は、最初に停止操作がされたストップスイッチ50が特定のストップスイッチ50であれば、「ベル１」〜「ベル８」の役に対応する図柄を優先して入賞ライン86上に停止させるため、ストップスイッチ50の操作タイミングがどのようなタイミングであっても、「ベル１」〜「ベル８」のいずれかの役の図柄の組み合わせが入賞ライン86上に必ず揃うようにリール62を停止させる。このため、遊技者が当選役を獲得できないという事態（取りこぼし）が発生しない。取りこぼしが発生しないストップスイッチ50の操作順序を「正解の押し順」といい、図５（２）に示すように、当選役グループ「左押しベル１」および「左押しベル２」に対応する正解の押し順は「第１停止が左」、「中押しベル１」および「中押しベル２」に対応する正解の押し順は「第１停止が中」、「右押しベル１」および「右押しベル２」に対応する正解の押し順は「第１停止が右」である。
【００５２】
図５に示す当選役グループ「スイカナナ１」に当選した場合について説明する。当選役グループ「スイカナナ１」に当選すると、当選役「スイカナナ１」に当選することになる。当選役「スイカナナ１」に対応する図柄の組み合わせは、図４に示すとおり、「スイカ−スイカ−赤７」である。ここで、左リール64および中リール66に対応する「スイカ」の図柄は、図２に示すとおり、引き込み可能範囲内の間隔で記載されている。しかしながら、右リール68に対応する「赤７」の図柄は、引き込み可能範囲内の間隔で記載されていない。このため、停止制御手段140は、右リール68に対応するストップスイッチ50の操作タイミングによっては、入賞ライン86上に「赤７」の図柄を停止させることができず、当選役「スイカナナ１」に対応する図柄の組み合わせを入賞ライン86上に揃えることができない。「スイカナナ２」、「スイカナナ３」についても同様である。
【００５３】
図５に示す当選役グループ「チェリー」に当選した場合について説明する。前述のとおり、左リール64において、図柄「チェリー」は引き込み可能範囲より大きな間隔で記載されているため、停止制御手段140は、遊技者がストップスイッチ50を操作したとき、左リール64の回転位置によっては、「チェリー」の図柄を入賞ライン86上に停止させることができない。
また、当選役「チェリー」が入賞ライン86上に揃った場合、遊技者は、当選役「ボーナス」に同時当選しているのではないかという期待感を抱く。当選役グループ「重複ボーナス」に当選した場合も、当選役「チェリー」が入賞ライン86上に揃うことがあるからである。
【００５４】
図５に示す当選役グループ「リプレイ」に当選した場合について説明する。この場合は、当選役「リプレイ」に当選しており、当選役「リプレイ」を構成する図柄は、図４に示すとおり、図柄「リプレイ」である。図柄「リプレイ」は、図２に示すとおり、各リール62の引き込み可能範囲内に記載されている。このため、停止制御手段140は、ストップスイッチ50の操作タイミングがどのようなタイミングであっても、入賞ライン86上に当選役「リプレイ」に対応する図柄の組み合わせを揃える。
停止図柄判定手段150は、メイン制御部110が備える手段であり、すべてのリール62が停止した際における入賞ライン86上の図柄の組み合わせと役に対応する図柄の組み合わせ（図４）とを比較して、一致した場合には入賞と判定するためのものである。
【００５５】
利益付与手段160は、メイン制御部110が備える手段であり、停止図柄判定手段150の判定結果に基づいて、メダル払い出し等の所定の処理を行うためのものである。利益付与手段160は、停止図柄判定手段150により小役が入賞していると判定されるとメダルの払い出しを行う。なお、小役と払い出されるメダルの枚数との関係は、図４の配当の欄に示す。なお、図４中の「−」は、メダルの払い出しがないことを示す。
また、利益付与手段160は、停止図柄判定手段150により、再遊技役が入賞していると判定されると、その旨をメイン制御部110のＲＡＭに記憶する。そして、メイン制御部110は、次回の遊技のための賭け数の設定が可能な状態となった後、自動的に賭け数を設定することにより、遊技者所有のメダルを使用しなくても遊技を可能とする。
【００５６】
また、利益付与手段160は、停止図柄判定手段150により、特別役が入賞していると判定されると、その旨をメイン制御部110のＲＡＭに記憶する。そして、遊技制御手段120は、次回の遊技よりボーナス遊技を実行する。
演出制御部200は、所定の演出を実行することが決定された場合に演出を実行するためのものである。
演出抽選テーブル230は、少なくとも遊技において発生する結果に応じた演出を発生させるか否かの抽選に用いる演出抽選確率を記憶するものである。本実施の形態の演出抽選テーブル230を、図６（１）および図６（２）に示す。図示のとおり、演出抽選テーブル230は、抑制テーブル234と発生テーブル232とがある。また、演出抽選テーブル230は、当選役グループ毎に設けられている。また、各演出抽選テーブル230は、演出の態様を決定するための演出用抽選データを備えている。具体的には、演出を実行しない「演出なし」に対応した演出用抽選データと、演出パターンＡの演出を実行する「演出Ａ」に対応した演出用抽選データと、演出パターンＢの演出を実行する「演出Ｂ」に対応した演出用抽選データと、演出パターンＣの演出を実行する「演出Ｃ」に対応した演出用抽選データとを備えている。なお、演出パターンは、演出の態様を特定するもので、演出パターン毎に異なる演出の態様が規定されている。
【００５７】
また、演出用抽選データは、後述の演出抽選用乱数発生手段が発生させる乱数の範囲内の当選領域を規定するデータであり、当選確率を規定するためのものである。
また、演出用抽選データは、演出を実行するか否かを決定するための演出行否決定用抽選データと、演出を実行する場合にいずれの演出パターンの演出を実行するかを選択するための演出選択用抽選データとを備えている。本実施の形態では、演出行否決定用抽選データは、「演出なし」に対応する演出用抽選データと、「演出Ａ」、「演出Ｂ」、「演出Ｃ」に対応する演出用抽選データとが相当する。また、演出選択用抽選データは、「演出Ａ」、「演出Ｂ」、「演出Ｃ」に対応する演出用抽選データが相当する。
【００５８】
本実施の形態では、当選役グループ「左押しベル１」用の演出抽選テーブル230について、抑制テーブル234に記憶されている演出行否決定用抽選データと発生テーブル232に記憶されている演出行否決定用抽選データとを比較すると、抑制テーブル234に記憶されている演出行否決定用抽選データよりも、発生テーブル232に記憶されている演出行否決定用抽選データの方が、演出を実行すると決定される確率が高くなるように、演出行否決定用抽選データが設定されている。また、当選役グループ「左押しベル２」、「中押しベル１」、「中押しベル２」、「右押しベル１」、「右押しベル２」、「スイカナナ１」、「スイカナナ２」、「スイカナナ３」、「チェリー」に対応する演出抽選テーブル230についても同様である。
【００５９】
また、本実施の形態では、発生テーブル232に記憶されている演出選択用抽選データは、図６（２）に示すとおり、「演出Ａ」、「演出Ｂ」、「演出Ｃ」のいずれかの演出パターンが選択される確率が、他の演出パターンが選択される確率より高くなるように当選確率が設定されている。また、いずれの演出パターンの当選確率を高くするかは、役抽選手段130の役抽選結果に応じて、予め定められている。具体的には、役抽選手段130により、ベル系当選役グループに当選した場合は、「演出Ｂ」の当選確率が他の演出パターンの当選確率より高くなるように設定されている。また、スイカ系当選役グループの場合は、「演出Ｃ」の当選確率が他の演出パターンの当選確率より高くなり、当選役グループ「チェリー」の場合は、「演出Ａ」の当選確率が他の演出パターンの当選確率より高くなる。また、本実施の形態では、発生テーブル232に記憶されている演出行否決定用抽選データは、図６（２）に示すとおり、当選役グループ「リプレイ」および「ハズレ」の場合は、他の当選役グループに比べて演出を実行する確率を低く設定している。
【００６０】
演出発生抽選手段220は、演出抽選テーブル230の演出抽選確率に基づいて演出を発生させるか否かの抽選（演出抽選）をするためのものである。
演出発生抽選手段220は、演出抽選用乱数発生手段と、演出抽選用乱数抽出手段と、演出抽選用抽選データ選択手段と、演出抽選判定手段とを備えている。
演出抽選用乱数発生手段は、演出抽選用の乱数を、所定の範囲内で発生させるためのものである。本実施の形態では、演出抽選用乱数発生手段は、発振回路と、この発振回路が発生させたクロック信号をカウントするカウンタ回路によって構成されており、０〜２５５の範囲で演出抽選用の乱数を発生させる。
【００６１】
演出抽選用乱数抽出手段は、演出抽選用乱数発生手段が発生させた乱数を、所定の契機で抽出するためのものである。本実施の形態では、スタートスイッチ40の操作を契機に演出抽選用乱数発生手段が発生させた乱数を抽出する。
演出抽選用抽選データ選択手段は、後述の演出抽選テーブル選択手段210が選択した演出抽選テーブル230のうち役抽選手段130による役抽選の結果に応じた演出抽選テーブル230を選択する。また、選択した演出抽選テーブル230中の演出行否決定用抽選データを、「演出なし」用の演出用抽選データ、「演出Ａ」用の演出用抽選データ、「演出Ｂ」用の演出用抽選データ、「演出Ｃ」用の演出用抽選データの順に順次選択するためのものである。
【００６２】
演出抽選判定手段は、演出抽選用乱数抽出手段が抽出した乱数と、演出抽選用抽選データ選択手段が選択した演出行否決定用抽選データとを照合して、当選か否かの判定を行うためのものである。本実施の形態では、演出抽選判定手段は、演出抽選用乱数抽出手段が抽出した乱数の値から演出抽選用抽選データ選択手段が選択する演出行否決定用抽選データの値を順次減算し、減算の結果が０を下回ると、演出抽選用乱数抽出手段が抽出した乱数が演出抽選用抽選データ選択手段により選択された演出行否決定用抽選データの当選領域に属するため、当選と判定する。
以上により、演出発生抽選手段220は、「演出なし」に対応する演出行否決定用抽選データに当選すると、演出抽選の結果として演出を発生しないとする。また、演出発生抽選手段220は、「演出Ａ」、「演出Ｂ」、「演出Ｃ」に対応する演出行否決定用抽選データに当選すると、演出抽選の結果として演出を発生するとする。
【００６３】
演出選択抽選手段225は、演出発生抽選手段220による演出抽選の結果、演出を発生するとなった場合に、いずれの演出パターンの演出を実行するかを抽選により選択するためのものである。本実施の形態では、前述の演出選択用抽選データを用いて、いずれの演出を実行するかを抽選するものである。ここで、本実施の形態では、演出選択用抽選データは、前述の演出行否決定用抽選データを兼用している。このため、演出発生抽選手段220による抽選結果が、演出選択抽選手段225による抽選結果となる。具体的には、演出発生抽選手段220による抽選結果が、「演出Ａ」に対応する演出行否決定用抽選データに当選であれば、演出選択抽選手段225による抽選結果は、演出パターンＡの演出態様で演出を実行するという結果になる。また、演出発生抽選手段220による抽選結果が、「演出Ｂ」、「演出Ｃ」に対応する演出行否決定用抽選データに当選であった場合についても同様である。
【００６４】
また、本実施の形態では、当選役グループ「重複ボーナス」に当選し、当選した遊技において当選役「ボーナス」に対応する図柄の組み合わせが入賞ライン86上に揃わなかった場合、次回の遊技から、当選役「ボーナス」に対応する図柄の組み合わせが入賞ライン86上に揃う遊技までの間、内部当たり状態となる。この内部当たり状態の間、演出制御部200は、「演出Ａ」、「演出Ｂ」、「演出Ｃ」のいずれかに対応する演出を必ず実行する。このため、遊技者は、演出が発生すると、当選役「ボーナス」に当選しているかもしれないという期待感を抱くことになる。
抑制カウンタ記憶手段240は、演出発生抽選手段220が抽選に用いる演出抽選テーブル230として発生テーブル232を用いるか又は抑制テーブル234を用いるかを決定するための抑制カウンタ値を記憶するためのものである。抑制カウンタ記憶手段240は、演出制御部200のＲＡＭ上の所定の記憶領域に形成されている。なお、抑制カウンタ記憶手段240は、電源スイッチが操作され、電源が投入されたときに初期化される。このとき、演出制御部200により、抑制カウンタ値に初期値が設定される。本実施の形態では、この初期値は、「０」である。
【００６５】
演出抽選テーブル選択手段210は、抑制カウンタ値に基づいて演出抽選テーブル230の種類を選択するためのものである。
また、演出抽選テーブル選択手段210は、抑制カウンタ値が所定の閾値を超えていれば演出発生抽選手段220の抽選に用いる演出抽選テーブル230として抑制テーブル234を選択するとともに抑制カウンタ値が閾値以下であれば発生テーブル232を選択するためのものである。本実施の形態では、閾値は「０」を採用している。すなわち、演出抽選テーブル選択手段210は、抑制カウンタ値が「０」を超えていれば抑制テーブル234を選択し、「０」以下であれば発生テーブル232を選択するものである。
【００６６】
これにより、前述の演出発生抽選手段220は、抑制カウンタ値が閾値を超えていれば演出抽選テーブル選択手段により選択された抑制テーブル234の演出抽選確率に基づいて演出を発生させるか否かの抽選をすることになる。また、演出発生抽選手段220は、抑制カウンタ値が閾値以下であれば演出抽選テーブル選択手段210により選択された発生テーブル232の演出抽選確率に基づいて演出を発生させるか否かの抽選をすることになる。
図６（３）は、カウンタ設定抽選用抽選テーブルを示している。図中の「書換なし」は、抑制カウンタ値を書き換えないことを示す。また、「０」は抑制カウンタ値に「０」を設定することを示す。「２」、「３」、「８」、「１０」、「１５」は、「０」と同様に、それぞれ対応する数値を抑制カウンタ値に設定することを示す。
【００６７】
カウンタ設定抽選用抽選テーブルは、抑制カウンタ値の設定態様を決定するための抽選に用いるためのものである。本実施の形態では、役抽選手段130の役抽選の結果にそれぞれ対応したカウンタ設定抽選用抽選テーブルを備えている。具体的には、図６（３）に示すように、当選役グループ毎にカウンタ設定抽選用抽選テーブルが設けられている。また、各カウンタ設定抽選用抽選テーブルには、抑制カウンタ値の設定態様に対応してカウンタ設定用抽選データが予め定められている。カウンタ設定用抽選データは、後述の設定抽選用乱数発生手段が発生させる乱数の範囲内での当選領域を規定するデータであり、抑制カウンタ値の設定態様の各々に対応する当選領域を規定するためのものである。具体的には、当選役グループが「左押しベル１」に対応するカウンタ設定抽選用抽選テーブルには、抑制カウンタ値を書き換えないこと（「書換なし」）に対応するカウンタ設定用抽選データとして「２００」が規定され、抑制カウンタ値に「０」、「２」または「３」を設定することに対応するカウンタ設定用抽選データとして「０」がそれぞれ規定され、抑制カウンタ値に「８」または「１０」を設定することに対応するカウンタ設定用抽選データとして「３」がそれぞれ規定され、抑制カウンタ値に「１５」を設定することに対応するカウンタ設定用抽選データとして「５０」が規定されている。
【００６８】
また、カウンタ設定用抽選データは、抑制カウンタ値に新たな数値を設定するか否かを決定するための設定行否決定用抽選データと、抑制カウンタ値に新たな数値を設定する場合にいずれの数値を設定するかを選択するための数値選択用抽選データと、特定の抑制カウンタ値に設定すると決定するための固定数値選択用抽選データと、抽選結果を「抑制カウンタ値に新たな値を設定しない」とするための書換なし選択用抽選データを備えている。
設定行否決定用抽選データは、「書換なし」に対応するカウンタ設定用抽選データとして０より大きい値が設定されており、かつ、「書換なし」以外に対応するカウンタ設定用抽選データとして０より大きい値が設定されている。具体的には、当選役グループが「左押しベル１」に対応するカウンタ設定抽選用抽選テーブルの「書換なし」に対応するカウンタ設定用抽選データと、「８」、「１０」、「１５」に対応するカウンタ設定用抽選データが相当する。また、図６（３）に示すカウンタ設定抽選用抽選テーブルのうち、当選役グループが「左押しベル２」、「中押しベル１」、「中押しベル２」、「右押しベル１」、「右押しベル２」、「スイカナナ１」、「スイカナナ２」、「スイカナナ３」に対応するカウンタ設定抽選用抽選テーブルのカウンタ設定用抽選データにも設定行否決定用抽選データが含まれている。
【００６９】
また、数値選択用抽選データは、複数の抑制カウンタ値に対応するカウンタ設定用抽選データとして０より大きい値が設定されている。具体的には、当選役グループが「左押しベル１」に対応するカウンタ設定抽選用抽選テーブルのカウンタ設定用抽選データのうち、「８」、「１０」、「１５」に対応するカウンタ設定用抽選データが相当する。また、図６（３）に示すカウンタ設定抽選用抽選テーブルのうち、当選役グループが「左押しベル２」、「中押しベル１」、「中押しベル２」、「右押しベル１」、「右押しベル２」、「スイカナナ１」、「スイカナナ２」、「スイカナナ３」に対応するカウンタ設定抽選用抽選テーブルのカウンタ設定用抽選データにも数値選択用抽選データが含まれている。
【００７０】
また、固定数値選択用抽選データは、特定の抑制カウンタ値に対応するカウンタ設定用抽選データのみに対して「０」より大きい値が設定されている。具体的には、図６（３）に示すカウンタ設定抽選用抽選テーブルのうち、当選役グループが「チェリー」に対応するカウンタ設定抽選用抽選テーブルのカウンタ設定用抽選データが相当する。
また、書換なし選択用抽選データは、「書換なし」に対応するカウンタ設定用抽選データのみに対して「０」より大きい値が設定されている。具体的には、当選役グループが「リプレイ」、「ハズレ」に対応するカウンタ設定抽選用抽選テーブルのカウンタ設定用抽選データが相当する。
【００７１】
また、カウンタ設定用抽選データは、抑制カウンタ値に新たな数値を設定する場合、役抽選手段130の役抽選結果に応じた数値が設定されるように当選確率が定められている。具体的には、図６（３）に示すとおり、ベル系当選役グループに対応する新たな数値は「８」、「１０」、「１５」のいずれかであり、スイカ系当選役グループに対応する新たな数値として「２」、「３」、「８」のいずれかであり、当選役グループ「チェリー」に対応する新たな数値は、「０」である。このように、本実施の形態では、抑制カウンタ値に新たな数値を設定する場合、１の役抽選結果に応じた数値の組合せは、他の役抽選の結果に応じた数値の組合せとは異なるように、カウンタ設定用抽選データが定められている。
【００７２】
抑制カウンタ設定手段245は、抑制カウンタ値を設定するためのものである。本実施の形態では、抑制カウンタ値を設定するものとして、以下の２つがある。一方は、後述する抑制カウンタ再設定決定手段250により新たな抑制カウンタ値を設定するものであり、他方は、後述する抑制カウンタ減算手段270により抑制カウンタ値を減算するものである。
抑制カウンタ再設定決定手段250は、抑制カウンタ値に遊技において発生する結果に応じた新たな数値を設定するか否かを決定するためのものである。
抑制カウンタ再設定決定手段250は、メイン遊技結果判定手段254と、抑制カウンタ設定抽選手段252と、カウンタ値選択抽選手段256と、カウンタ設定手段260と、カウンタ無設定手段258とを備えている。
【００７３】
メイン遊技結果判定手段254は、メイン遊技の遊技結果を判定するためのものである。本実施の形態では、メイン遊技結果判定手段254は、メイン制御部110の役抽選手段130の役抽選の結果を取得して、当選役グループに対応したカウンタ設定抽選用抽選テーブルを選択する。
抑制カウンタ設定抽選手段252は、抑制カウンタ値に新たな数値を設定するか否かを決定するための抽選（設定抽選）を行うためのものである。
抑制カウンタ設定抽選手段252は、設定抽選用乱数発生手段と、設定抽選用乱数抽出手段と、設定抽選用抽選データ選択手段と、設定抽選判定手段とを備えている。
【００７４】
設定抽選用乱数発生手段は、設定抽選用の乱数を、所定の範囲内で発生させるためのものである。本実施の形態では、設定抽選用乱数発生手段は、演出抽選用乱数発生手段を兼用して利用している。このため、演出抽選用乱数発生手段と同様、０〜２５５の範囲で設定抽選用の乱数が発生する。
設定抽選用乱数抽出手段は、設定抽選用乱数発生手段が発生させた乱数を、所定の契機で抽出するためのものである。本実施の形態では、設定抽選用乱数抽出手段は、演出抽選用乱数抽出手段を兼用して利用している。このため、演出抽選用乱数抽出手段と同様、スタートスイッチ40の操作を契機に設定抽選用乱数発生手段が発生させた乱数を抽出する。
【００７５】
設定抽選用抽選データ選択手段は、メイン遊技結果判定手段254が選択したカウンタ設定抽選用抽選テーブル中の設定行否決定用抽選データを、「書換なし」に対応する設定抽選用抽選データ、「０」に対応する設定抽選用抽選データ、「２」に対応する設定抽選用抽選データ、「３」に対応する設定抽選用抽選データ、「８」に対応する設定抽選用抽選データ、「１０」に対応する設定抽選用抽選データ、「１５」に対応する設定抽選用抽選データの順に順次選択する。
設定抽選判定手段は、設定抽選用乱数抽出手段が抽出した乱数と、設定抽選用抽選データ選択手段が選択した設定抽選用抽選データとを照合して、当選か否かの判定を行うためのものである。本実施の形態では、設定抽選判定手段は、設定抽選用乱数抽出手段が抽出した乱数の値から設定抽選用抽選データ選択手段が選択する設定行否決定用抽選データの値を順次減算し、減算の結果が０を下回ると、設定抽選用乱数抽出手段が抽出した乱数が設定抽選用抽選データ選択手段により選択された設定行否決定用抽選データの当選領域に属するため、当選と判定する。
【００７６】
以上により、抑制カウンタ設定抽選手段252は、「書換なし」に対応する設定行否決定用抽選データに当選すると、抑制カウンタ値に新たな数値を設定しないと決定する。また、抑制カウンタ設定抽選手段252は、「０」、「２」、「３」、「８」、「１０」、「１５」に対応する設定行否決定用抽選データに当選すると、設定抽選の結果として抑制カウンタ値に新たな値を設定すると決定する。
カウンタ値選択抽選手段256は、抑制カウンタ設定抽選手段252により、抑制カウンタ値に新たな数値を設定すると決定された場合に、いずれの数値を選択するかを抽選により選択するためのものである。本実施の形態では、前述の数値選択用抽選データを用いて、いずれの数値を選択するかを抽選するものである。ここで、本実施の形態では、数値選択用抽選データは、前述の設定行否決定用抽選データを兼用している。このため、抑制カウンタ設定抽選手段252による抽選結果が、カウンタ値選択抽選手段256による抽選結果となる。具体的には、抑制カウンタ設定抽選手段252による抽選結果が、「２」に対応する設定行否決定用抽選データに当選であれば、カウンタ値選択抽選手段256による抽選結果は、抑制カウンタ値に「２」を設定するという結果になる。また、抑制カウンタ設定抽選手段252による抽選結果が、「０」、「３」、「８」、「１０」、「１５」に対応する設定行否決定用抽選データに当選であった場合についても同様である。
【００７７】
カウンタ設定手段260は、メイン遊技結果判定手段254による判定結果が、特定の結果であると、抑制カウンタの値を閾値以下とする。
本実施の形態では、メイン遊技結果判定手段254による判定結果が当選役グループ「チェリー」に当選であると、特定の結果となる。
また、本実施の形態では、カウンタ設定手段260は、抑制カウンタ設定抽選手段252の機能を利用して実現されている。具体的には、メイン遊技結果判定手段254は、役抽選手段130による役抽選の結果が当選役グループ「チェリー」に当選であると判定すると、当選役グループ「チェリー」に対応したカウンタ設定抽選用抽選テーブルを選択する。当選役グループ「チェリー」に対応したカウンタ設定抽選用抽選テーブルには、カウンタ設定用抽選データとして固定数値選択用抽選データが設定されているため、抑制カウンタ設定抽選手段252による設定抽選の結果、「抑制カウンタの値に０を設定する」と決定される。また、固定数値選択用抽選データには、特定の抑制カウンタ値として閾値以下である「０」が設定されている。このため、固定数値選択用抽選データを用いた抽選の結果、抑制カウンタの値は閾値以下となる。
【００７８】
また、カウンタ無設定手段258は、メイン遊技結果判定手段254による判定結果が、所定の結果であると、抑制カウンタの値に新たな値を設定しないとする。本実施の形態では、メイン遊技結果判定手段254による判定結果が、当選役グループ「リプレイ」に当選、または、「ハズレ」であると、所定の結果となる。
また、本実施の形態では、カウンタ無設定手段258は、抑制カウンタ設定抽選手段252の機能を利用して実現されている。具体的には、メイン遊技結果判定手段254は、役抽選手段130による抽選の結果が当選役グループ「リプレイ」に当選であると判定すると、当選役グループ「リプレイ」に対応したカウンタ設定抽選用抽選テーブルを選択する。当選役グループ「リプレイ」に対応したカウンタ設定抽選用抽選テーブルには、カウンタ設定用抽選データとして書換なし選択用抽選データが設定されているため、抑制カウンタ設定抽選手段252による抽選の結果、「抑制カウンタの値に新たな値を設定しない」と決定される。また、メイン遊技結果判定手段254により、役抽選手段130による抽選の結果が「ハズレ」であると判定された場合も、同様である。
【００７９】
抑制カウンタ減算手段270は、１回の遊技が行われる毎に閾値（具体的には０）以下の値へ向かって抑制カウンタ値を所定の値（具体的には１）ずつ減算するためのものである。
演出装置駆動手段280は、演出発生抽選手段220による抽選の結果、演出を発生させると決定された場合は、演出選択抽選手段225により選択された演出パターンに応じた演出を、液晶表示器84、スピーカー72及び演出用ランプ78の報知手段により実行するためのものである。本実施の形態では、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、液晶表示器84を駆動するための液晶制御基板（図示せず）に対して出力する映像データを規定するデータを出力したりする。
【００８０】
図７、図８に示すフローチャートに基づいて、制御装置100が１回の遊技毎に実行する処理について説明する。
先ず、ステップ１００において、賭け数として規定数が設定されたか否かが判定される。具体的にはメイン制御部110により、当該遊技の賭け数として設定されているメダルの枚数が規定数に達しているか否かの判定が行われる。本実施の形態では、規定数は、３枚である。このため、賭け数として３枚が設定されていると判定した場合には、次のステップ１０１に進む。一方、賭け数として３枚が設定されていないと判定した場合には再度ステップ１００となる。
【００８１】
ステップ１０１において、メイン制御部110により、スタートスイッチ40の操作があったか否かの判定が行われる。ここで、スタートスイッチ40の操作があったと判定されると、メイン制御部110により、賭け数の設定が不可能な状態とされる。その後、次のステップ１０２に進む。一方、スタートスイッチ40の操作がないと判定されると、再度ステップ１０１となる。
ステップ１０２において、役抽選手段130により、役抽選処理が行われる。また、このとき、役抽選の結果がメイン制御部110から演出制御部200へ通知される。役抽選処理が終了すると、次のステップ１０３に進む。
【００８２】
ステップ１０３において、演出制御部200により、演出設定処理が行われる。なお、この演出設定処理は、図８において詳細に説明する。そして、演出設定処理が終了すると、次のステップ１０４に進む。
ステップ１０４において、演出制御部200により、演出発生処理が行われる。具体的には、前記演出設定処理において決定された演出がある場合には当該演出が実行され、演出なしの場合には演出は実行されない。そして、次のステップ１０５に進む。
ステップ１０５において、リールユニット60におけるリール62の回転処理が行われる。リール62が所定の回転速度に達した後、次のステップ１０６に進む。
【００８３】
ステップ１０６において、メイン制御部110により、回転中のリール62に対応するストップスイッチ50の操作があったか否かの判定が行われる。そして、ストップスイッチ50の操作があったと判定されると、次のステップ１０７に進み、ストップスイッチ50の操作がないと判定されると、再度ステップ１０６に戻る。
ステップ１０７において、停止制御手段140により、各リール62の回転を停止させるリール回転停止処理が行われる。リール回転停止処理が終わると、次のステップ１０８に進む。
ステップ１０８において、メイン制御部110により、全てのリール62の回転を停止させたか否かが判定される。全てのリール62の回転を停止させたと判定された場合、次のステップ１０９に進み、全てのリール62の回転を停止させていないと判定された場合、ステップ１０６に戻る。
【００８４】
ステップ１０９において、停止図柄判定手段150により、入賞ライン86上の図柄の組み合わせに対して判定処理が行われる。そして、判定処理が終わると、次のステップ１１０に進む。
ステップ１１０において、利益付与手段160により、停止図柄判定手段150の判定結果に対応した処理が行われる。そして、この処理が終わると、１回の遊技が終了し、メイン制御部110により、次回の遊技のために賭け数の設定が可能な状態とされる。
図８に示すフローチャートに基づいて、上記ステップ１０３の演出設定処理について説明する。
【００８５】
ステップ２００において、演出抽選テーブル選択手段210により、抑制カウンタ記憶手段240に記憶されている抑制カウンタ値が閾値０を超えているか否かが判定される。抑制カウンタ値が０を超えていると判定された場合、次のステップ２０１に進む。
ステップ２０１において、演出抽選テーブル選択手段210により、演出抽選テーブル230として抑制テーブル234が選択される。そして、次のステップ２０３に進む。
一方、前記ステップ２００で抑制カウンタ値が０を超えていないと判定された場合は、ステップ２０２において、演出抽選テーブル選択手段210により、演出抽選テーブル230として発生テーブル232が選択される。そして、次のステップ２０３に進む。
【００８６】
ステップ２０３において、演出発生抽選手段220により、選択された演出抽選テーブル230のデータに基づいて、演出を発生させるか否かの演出抽選処理が行われる。また、演出を実行する場合には、演出選択抽選手段225により、いずれの種類の演出を実行するかが選択される。そして、次のステップ２０４に進む。
ステップ２０４において、抑制カウンタ減算手段270により抑制カウンタ値の減算処理が行われる。具体的には、抑制カウンタ値が１だけ減算される。なお、減算前の抑制カウンタ値が０であれば抑制カウンタ減算手段270による抑制カウンタ値の減算処理は行われない。そして、次のステップ２０５に進む。
【００８７】
ステップ２０５において、抑制カウンタ設定抽選手段252により、カウンタ設定抽選用抽選テーブルを用いた抽選処理が行われる。そして、次のステップ２０６に進む。
ステップ２０６において、抑制カウンタ設定手段245により、抑制カウンタ再設定決定手段250により新たな抑制カウンタ値の設定が行われるか否かが判定される。抑制カウンタ再設定決定手段250により新たな抑制カウンタ値の設定が行われる場合には、次のステップ２０７に進み、抑制カウンタ再設定決定手段250により新たな抑制カウンタ値の設定が行われない場合には、当該演出設定処理が終了する。
ステップ２０７において、抑制カウンタ再設定決定手段250により、新たな抑制カウンタ値が設定（変更）される。このステップ２０７において、設定される新たな抑制カウンタ値は、演出抽選テーブル選択手段210が参照する際の抑制カウンタ値となる。そして、当該演出設定処理が終了する。
【００８８】
このように本実施の形態では、前記抑制カウンタ設定手段245は、前記抑制カウンタ再設定決定手段250が前記抑制カウンタ設定抽選手段252による抽選の結果に基づき前記抑制カウンタ値に新たな数値を設定すると決定した場合（ステップ２０６で「ＹＥＳ」）は、前記抑制カウンタ再設定決定手段250により決定された新たな数値を、前記演出抽選テーブル選択手段210が参照する際の抑制カウンタ値として設定する（ステップ２０７）。
図９に示すテーブルの縦列の欄は、左側から順に、ゲーム数（遊技数）、役抽選手段130の役抽選の結果、抑制カウンタ値、演出抽選テーブルの種類（発生テーブル232、抑制テーブル234）、演出発生抽選手段220および演出選択抽選手段225による演出用の抽選の結果、演出実行状態、カウンタ更新の内容が記載されている。なお、図９中の下向き矢印は、この矢印が記載されている欄の内容が上欄に記載されている内容と同一の内容であることを意味する。
【００８９】
具体的には、ゲーム数１の欄では以下の内容が記載されている。先ず、役抽選手段130の役抽選の結果、当選役グループ「左押しベル１」に当選し、抑制カウンタ値は０（初期値）が設定されており、発生テーブル232が選択されたことを意味する。そして、この発生テーブル232を使用した演出発生抽選手段220による演出抽選の結果、演出を発生させることが決定し、演出選択抽選手段225により演出Ｂが選択され演出Ｂに対応した演出パターンの演出が実行され、抑制カウンタ設定抽選手段252による設定抽選の結果、抑制カウンタ値に新たな数値を設定することが決定し、カウンタ値選択抽選手段256により「１０」が選択されている。
【００９０】
ゲーム数２では、役抽選の結果、ハズレとなる。このとき、抑制カウンタ値の値は、１０である。抑制カウンタ値が閾値０を超えているため、演出発生抽選手段220の抽選では抑制テーブル234が使用される。その抽選の結果、演出なしに当選し、演出は行われない。また、抑制カウンタ値は、カウンタ無設定手段258により抑制カウンタ値に新たな値を設定しないとされる。
同様にゲーム数３から１１まで抑制テーブル234が使用され、抑制カウンタ減算手段270により抑制カウンタ値が１ずつ減算された結果、９、８、・・・、２、１と１ずつ減少している。ゲーム数１２において、役抽選の結果、左押しベル２に当選し、抑制カウンタ値が０となって、発生テーブル232が使用されている。その発生テーブルを使用した演出発生抽選手段220による演出抽選の結果、演出を発生させることが決定し、演出選択抽選手段225により演出Ｂが選択され、演出Ｂに対応した演出パターンの演出が実行されている。また、抑制カウンタ設定抽選手段252による設定抽選の結果、抑制カウンタ値に新たな数値を設定することが決定し、カウンタ値選択抽選手段256により「１５」が選択されている。
【００９１】
ゲーム数１８では、役抽選の結果がハズレとなり、抑制カウンタ値が０であり、発生テーブル232が使用されている。この発生テーブル232を使用した抽選で演出なしに当選し、カウンタ設定抽選用抽選テーブルを使用した抽選で書き換え無しとなっている。同様に、続くゲーム数１９でも同様に抽選の結果、書き換えなしとなっている。
そして、ゲーム数２０でその発生テーブル232を用いた抽選で演出Ｂに当選して演出Ｂに対応した演出パターンの演出が実行される。
ゲーム数２６では、役抽選の結果、チェリーに当選している。このチェリーはボーナスとの重複当選の可能性があるため、カウンタ設定手段260により、抑制カウンタ値が０に書き換えられるように設定されている（図６（３）参照）。これにより、次のゲーム数２７で発生テーブル232が採用されて、その後、その発生テーブル232を用いた抽選で演出を発生させて、遊技者の期待感を高めることができるように形成されている。
【００９２】
（作用及び効果）
本実施の形態では、抑制カウンタ再設定決定手段250が、抑制カウンタ値を遊技において発生する結果に応じた数値に設定する。また、抑制カウンタ減算手段270は、１回の遊技が行われる毎に抑制カウンタ値を所定の値だけ減算する。
このため、遊技の回数に基づいて演出が発生し易くなる状態を生成し遊技者の興趣を維持することができる。さらに、演出が発生し易くなる状態を生成するまでの遊技回数と、遊技において発生する結果との関連づけをすることができる。このため、遊技者に対して、遊技において発生する結果が発生してから実際に演出が発生するまでの遊技の回数に関心を持たせることができ、遊技者の遊技に対する興味を維持させることができる。
【００９３】
また、抑制カウンタ設定抽選手段252は、抑制カウンタ値に新たな数値を設定するか否かを決定するための抽選を行うため、遊技において発生する結果が複数回発生した場合、どの時点で発生した「遊技において発生する結果」が、「演出を発生し易くする状態を生成するまでの遊技回数」と関連づけられるかは抽選の結果次第となる。このため、遊技において発生する結果と、実際に演出が発生するまでの遊技の回数との関連性が複雑なものとなり、遊技において発生する結果が発生してから実際に演出が発生するまでの遊技の回数に対する遊技者が抱く関心を高めることができる。
本実施の形態では、抑制カウンタ再設定決定手段250は、抑制カウンタ値が閾値０を超えているときに抑制カウンタ値の数値を新たな抑制カウンタ値に設定可能なものである。このため、遊技において発生する結果の発生後、抑制カウンタ値が閾値０以下になるまで待つことなく、適切な時期に遊技において発生する結果を抑制カウンタ値に反映することができる。
【００９４】
また、抑制カウンタ値が閾値０を超えているため演出が抑制されている状態の遊技の回数は、抑制カウンタ値に数値が設定されてから新たな抑制カウンタ値に設定されるまでの遊技の回数と新たな抑制カウンタ値に設定された後に抑制カウンタ値が閾値０以下になるまでの遊技の回数とを合算した遊技の回数になる。これにより、抑制カウンタ値が意外性のある値に設定される。このため、遊技において発生する結果と、実際に演出が発生するまでの遊技の回数との関連性が複雑なものとなり、遊技者に対して遊技において発生する結果が発生してから実際に演出が発生するまでの遊技の回数に対してより一層の関心を持たせることができる。
【００９５】
本実施の形態では、抑制カウンタ再設定決定手段250は、遊技において発生する結果が特定の結果であるとき、具体的には、図９のゲーム数２６に示すように、役抽選手段130の役抽選の結果、当選役グループ「チェリー」に当選しているときには、抑制カウンタ値を閾値０にする（図６（３）参照）。当選役グループ「重複ボーナス」において、当選役「ボーナス」と当選役「チェリー」とが重複当選に設定されているため、当選役「チェリー」が当選の場合には、当選役「ボーナス」も当選している可能性がある。このため、遊技において発生する結果が当選役グループ「チェリー」に当選という特定の結果であるときには発生テーブル232が選択されて演出が発生し易い状態となる。すなわち、ボーナス遊技への当選への期待感がある当選役グループ「チェリー」が当選した場合には、抑制カウンタ値が０となって発生テーブル232により演出を発生させやすくして、それに対応する演出を適切な時期に発生させることができる。結果として、遊技者の期待感を高めることができる。
【００９６】
本実施の形態では、図６（３）に示すように、遊技において発生する結果が所定の結果である場合、具体的には役抽選手段130の役抽選の結果がハズレである場合では、１００％の確率で抑制カウンタ値の書き換えなしとなる。すなわち、役抽選の結果のハズレが続く限り、発生テーブルを使用中の場合は、発生テーブルの使用が継続され、抑制テーブルを使用中の場合は、抑制テーブルの使用が継続されることになる。
本実施の形態では、図６（３）に示すように、当選役グループの前記大分類ごとに、抑制カウンタ値の数値の組合せが異なるように設定されている。このため、抑制カウンタ設定抽選手段252が設定する抑制カウンタ値の数値は、前記大分類ごとに、予め定められた複数の異なる数値のうちから決定されるものとなり、大分類ごとに、抑制カウンタ値の数値の組合せは異なるものとなる。
【００９７】
したがって、当選役グループの前記大分類ごとに、当選してから実際に演出が発生するまでの遊技の回数が多くなったり少なくなったりすることになる。これにより、役抽選の結果、所定の当選と、その当選が発生してから実際に演出が発生するまでの遊技の回数とが、当選役グループの前記大分類ごとに連動することになり、遊技者の興趣を高めることができる。
（第２の実施の形態）
第１の実施の形態では、閾値が０に設定され、１回の遊技が行われる毎にその抑制カウンタ値が１ずつ減算される。抑制カウンタ値が閾値０を超えていれば抑制テーブルが選択され、閾値０以下になれば発生テーブルが選択されていた。
【００９８】
それに対して本実施の形態では、閾値が１５に設定され、１回の遊技が行われる毎にその抑制カウンタ値が１ずつ加算される。抑制カウンタ値が閾値１５未満であれば抑制テーブルが選択され、閾値１５以上になれば発生テーブルが選択されるものである。
その他の構成は、第１の実施の形態と略同様であって、同様の作用及び効果を奏する。
以下、第１の実施の形態と異なる点を主に説明する。
本実施の形態では、第１の実施の形態の図１、図２、図４、図５、図７は、同一であってそのまま使用される。図３は抑制カウンタ減算手段270が抑制カウンタ加算手段272に変更されるだけなので省略する。
【００９９】
第１の実施の形態の図６、図８、図９の代わりに図１０、図１１、図１２がそれぞれ用いられる。
本実施の形態に係る演出抽選テーブル選択手段210は、抑制カウンタ値が閾値１５未満であれば演出発生抽選手段220の抽選に用いる演出抽選テーブル230として抑制テーブル234を選択するとともに抑制カウンタ値が閾値１５以上であれば発生テーブル232を選択するものである。
本実施の形態では、図３に示す第１の実施の形態の抑制カウンタ減算手段270の代わりに、抑制カウンタ加算手段272が設けられている。この抑制カウンタ加算手段272は、１回の遊技が行われる毎に閾値１５以上の値へ向かって抑制カウンタ値を所定の値（具体的には１）だけ加算する。
【０１００】
このため、演出発生抽選手段220は、抑制カウンタ値が閾値１５未満であれば演出抽選テーブル選択手段210により選択された抑制テーブル234の演出抽選確率に基づいて演出を発生させるか否かの抽選をするとともに、抑制カウンタ値が閾値１５以上であれば演出抽選テーブル選択手段210により選択された発生テーブル232の演出抽選確率に基づいて演出を発生させるか否かの抽選をする。
カウンタ設定手段260は、メイン遊技結果判定手段254による判定結果が、特定の結果であると、抑制カウンタ値を閾値以上とする。また、それ以外の構成は、第１の実施の形態と同様である。
【０１０１】
なお、図１０及び図１２では、第１の実施の形態と比較して、抑制カウンタ値が変更されているのみであってそれ以外は同一のものである。また、図１１では、第１の実施の形態と比較して、ステップ３００の内容が「カウンタ値は１５未満か？」に変更され、ステップ３０４の内容が「カウンタ値の加算処理」に変更されているだけである。
（作用及び効果）
本実施の形態では、抑制カウンタ再設定決定手段250が、抑制カウンタ値を遊技において発生する結果に応じた数値に設定する。また、抑制カウンタ加算手段272は、所定の場合に１回の遊技が行われる毎に抑制カウンタ値を所定の値（具体的には１）だけ加算する。
【０１０２】
このため、遊技の回数に基づいて演出が発生し易くなる状態を生成し遊技者の興趣を維持することができる。さらに、演出が発生し易くなる状態を生成するまでの遊技回数と、遊技において発生する結果との関連づけをすることができる。このため、遊技者に対して、遊技において発生する結果が発生してから実際に演出が発生するまでの遊技の回数に関心を持たせることができ、遊技者の遊技に対する興味を維持させることができる。
また、抑制カウンタ設定抽選手段252は、抑制カウンタ値に新たな数値を設定するか否かを決定するための抽選を行うため、遊技において発生する結果が複数回発生した場合、どの時点で発生した「遊技において発生する結果」が、「演出を発生し易くする状態を生成するまでの遊技回数」と関連づけられるかは抽選の結果次第となる。このため、遊技において発生する結果と、実際に演出が発生するまでの遊技の回数との関連性が複雑なものとなり、遊技において発生する結果が発生してから実際に演出が発生するまでの遊技の回数に対する遊技者が抱く関心を高めることができる。
【０１０３】
本実施の形態では、抑制カウンタ再設定決定手段250は、抑制カウンタ値が閾値１５未満であれば抑制カウンタ値の数値を新たな抑制カウンタ値に設定可能なものである。このため、遊技において発生する結果の発生後、抑制カウンタ値が閾値１５以上になるまで待つことなく、適切な時期に遊技において発生する結果を抑制カウンタ値に反映することができる。
また、抑制カウンタ値が閾値１５未満であるため演出が抑制されている状態の遊技の回数は、抑制カウンタ値に数値が設定されてから新たな抑制カウンタ値に設定されるまでの遊技の回数と新たな抑制カウンタ値に設定された後に抑制カウンタ値が閾値１５以上になるまでの遊技の回数とを合算した遊技の回数になる。これにより、抑制カウンタ値が意外性のある値に設定される。このため、遊技において発生する結果と、実際に演出が発生するまでの遊技の回数との関連性が複雑なものとなり、遊技者に対して遊技において発生する結果が発生してから実際に演出が発生するまでの遊技の回数に対してより一層の関心を持たせることができる。
【０１０４】
本実施の形態では、抑制カウンタ再設定決定手段250は、遊技において発生する結果が特定の結果であるとき、具体的には図１２のゲーム数２６に示すように役抽選手段130の役抽選の結果、当選役グループ「チェリー」に当選しているときには、抑制カウンタ値を閾値１５以上にする。当選役グループ「重複ボーナス」において、当選役「ボーナス」と当選役「チェリー」とが重複当選に設定されているため、当選役「チェリー」が当選の場合には、当選役「ボーナス」も当選している可能性がある。このため、遊技において発生する結果が当選役グループ「チェリー」に当選という特定の結果であるときには演出が発生し易い状態となり、それに対応する演出を適切な時期に発生させることができる。これにより、ボーナス遊技への当選への期待感がある当選役グループ「チェリー」が当選した場合には、次のゲーム数２７では抑制カウンタ値が１５となって発生テーブル232により演出を発生させやすくして、遊技者の期待感を高めることができる。
【０１０５】
本実施の形態では、図１０（３）に示すように、遊技において発生する結果が所定の結果である場合、具体的には役抽選手段130の役抽選の結果がハズレである場合では、１００％の確率で抑制カウンタ値の書き換えなしとなる。すなわち、役抽選の結果のハズレが続く限り、発生テーブルを使用中の場合は、発生テーブルの使用が継続され、抑制テーブルを使用中の場合は、抑制テーブルの使用が継続されることになる。
本実施の形態では、図１０（３）に示すように、当選役グループの前記大分類（ベル系当選役グループ、スイカ系当選役グループ、当選役グループ「チェリー」）ごとに、抑制カウンタ値の数値の組合せが異なる。具体的には、ベル系当選役グループでは、抑制カウンタ値が０、５又は７に設定され、スイカ系当選役グループでは、抑制カウンタ値が７、１２又は１３に設定され、当選役グループ「チェリー」では、抑制カウンタ値が１５に設定されている。このため、抑制カウンタ設定抽選手段252が設定する抑制カウンタ値の数値は、前記大分類ごとに、予め定められた複数の異なる数値のうちから決定されるものとなり、大分類ごとに、抑制カウンタ値の数値の組合せは異なるものとなる。
【０１０６】
したがって、当選役グループの前記大分類ごとに、当選してから実際に演出が発生するまでの遊技の回数が多くなったり少なくなったりすることになる。これにより、役抽選の結果、所定の当選と、その当選が発生してから実際に演出が発生するまでの遊技の回数とが、当選役グループの前記大分類ごとに連動することになり、遊技者の興趣を高めることができる。
上述した第１及び第２の実施の形態で閾値は、０と、１５とに設定されていたが、特にこの数値に限定されるものではなく、他の数値に設定してもよいものである。また、閾値は、予め定めた固定されているものであったが、所定の契機で、抽選等によりランダムに設定してもよく、又は予め定めた順番等により変動させるようにしてもよい。
【０１０７】
（第３の実施の形態）
第１の実施の形態では、抑制カウンタ設定手段245は、抑制カウンタ再設定決定手段250が抑制カウンタ値に新たな数値を設定すると決定した場合、演出抽選テーブル選択手段210が参照する際の抑制カウンタ値（参照用抑制カウンタ値）として、抑制カウンタ再設定決定手段250が決定した数値を無条件に設定していた。
本実施の形態は、参照用抑制カウンタ値を増やす変更をしないものである。本実施の形態では、第１の実施の形態の図８の代わりに、図１３が用いられる。その他の構成や作用効果等は、第１の実施の形態と同様のものである。
【０１０８】
図１３に示すように、本実施の形態では、第１の実施の形態の図８に示すフローに、ステップ４０７及びステップ４０８を加えているものである。
ステップ４０７において、抑制カウンタ設定手段245により抑制カウンタ値が閾値０を超えているか否かが判定される。抑制カウンタ設定手段245により抑制カウンタ値が閾値０を超えていると判断された場合は、次のステップ４０８に進み、抑制カウンタ値が閾値０を超えていないと判断された場合は、ステップ４０９に進む。
ステップ４０８において、抑制カウンタ設定手段245により、抑制カウンタ再設定決定手段250が設定すると決定した新たな抑制カウンタ値が、ステップ４０４における減算後の抑制カウンタ値より小さければ、次のステップ４０９に進み、抑制カウンタ再設定決定手段250が設定すると決定した新たな抑制カウンタ値が、ステップ４０４における減算後の抑制カウンタ値と同じであったり、抑制カウンタ再設定決定手段250が設定すると決定した新たな抑制カウンタ値が、ステップ４０４における減算後の抑制カウンタ値より大きければ、当該処理が終了し、ステップ４０４にて減算処理された抑制カウンタ値が、それ以降もそのまま抑制カウンタ値として使用される（当該抑制カウンタ値が、次回の遊技において、演出抽選テーブル選択手段210が参照する際の抑制カウンタ値となる）。
【０１０９】
ステップ４０９において、抑制カウンタ再設定決定手段250が設定すると決定した新たな抑制カウンタ値が抑制カウンタ値として設定される。すなわち、次回の遊技において、演出抽選テーブル選択手段210が参照する際の抑制カウンタ値となる。そして、当該演出設定処理が終了する。
なお、ステップ４０８では「不等号」の記号のみで「等号」の記号が記載されていないが、「不等号のみ」に代えて「不等号及び等号」の両方の記号を記載してもよい。具体的にはたとえば遊技開始時の抑制カウンタ値が「４」のときに、１だけ減算した値「３」と、抽選による新たな抑制カウンタ値「３」とが同一となるような場合には、いずれのルートが選択されても、抑制カウンタ値は結果として同じ数値「３」となる。このため、本実施の形態ように、「不等号のみ」にして減算処理の結果、当該数値「３」になったとしてもよく、また、「不等号及び等号」にして新たな抑制カウンタ値「３」を選択したことによって当該数値「３」になったとすることもできる。
【０１１０】
本実施の形態によれば、抑制カウンタ値は１回の遊技が行われる毎に減ることのみとなり、抑制カウンタ値は遊技毎に前記閾値以下へ向かって確実に向かうことになる。演出抽選テーブル230として抑制テーブル234を使用する状態が、遊技を進めて遊技回数を積み重ねることで確実に終息する方向へ向かうことが保証される。すなわち、遊技を進めることで、演出抽選テーブル230として抑制テーブル234を使用する状態から発生テーブル232を使用する状態へ確実に移行させることが可能となり、高確率で演出を発生させることができる状態へ確実に移行させることができる。
本実施の形態では、ステップ４０８において、新たな抑制カウンタ値が、ステップ４０４の減算後のカウンタ値より小さいときには、抑制カウンタ設定手段245は、ステップ４０９を経て抑制カウンタ再設定決定手段250が決定した数値を新たな抑制カウンタ値として設定する。すなわち、新たな抑制カウンタ値が、ステップ４０４の減算後のカウンタ値以上であるときには、抑制カウンタ設定手段245は、ステップ４０９を経ずに抑制カウンタ再設定決定手段250が決定した数値を抑制カウンタ値として設定しない。ここで、判断条件はこれに限定されるものではなく、たとえば、抑制カウンタ設定手段245は、ステップ４０８において、新たな抑制カウンタ値が、ステップ４０４の減算前の遊技開始時の抑制カウンタ値より大きいときには、ステップ４０９を経ずに、抑制カウンタ再設定決定手段250が決定した数値を抑制カウンタ値として設定しないようにしてもよいものである。
【０１１１】
（第４の実施の形態）
第２の実施の形態では、抑制カウンタ設定手段245は、抑制カウンタ再設定決定手段250が抑制カウンタ値に新たな数値を設定すると決定した場合、演出抽選テーブル選択手段210が参照する際の抑制カウンタ値として、抑制カウンタ再設定決定手段250が決定した数値を無条件に設定していた。
本実施の形態では、第２の実施の形態において抑制カウンタ値の減らす変更をしないものである。本実施の形態は、第２の実施の形態の図１１の代わりに、図１４が用いられる。その他の構成や作用効果等は、第２の実施の形態と同様のものである。
【０１１２】
図１４に示すように、本実施の形態では、第２の実施の形態の図１１に示すフローに、ステップ５０７及びステップ５０８を加えているものである。
ステップ５０７において、抑制カウンタ設定手段245により抑制カウンタ値が閾値１５未満か否かが判定される。抑制カウンタ設定手段245により抑制カウンタ値が閾値１５未満であると判断された場合は、次のステップ５０８に進み、抑制カウンタ値が閾値１５以上であると判断された場合は、ステップ５０９に進む。
ステップ５０８において、抑制カウンタ設定手段245により、抑制カウンタ再設定決定手段250が設定すると決定した新たな抑制カウンタ値が、ステップ５０４における加算後の抑制カウンタ値より大きいときは、次のステップ５０９に進み、抑制カウンタ再設定決定手段250が設定すると決定した新たな抑制カウンタ値が、ステップ５０４における加算後の抑制カウンタ値と同じであったり、抑制カウンタ再設定決定手段250が設定すると決定した新たな抑制カウンタ値が、ステップ５０４における加算後の抑制カウンタ値より大きければ、当該処理が終了し、ステップ５０４にて加算処理された抑制カウンタ値が、それ以降もそのまま抑制カウンタ値として使用される（当該抑制カウンタ値が、次回の遊技において、演出抽選テーブル選択手段210が参照する際の抑制カウンタ値となる）。
【０１１３】
ステップ５０９において、抑制カウンタ再設定決定手段250が設定すると決定した新たな抑制カウンタ値が抑制カウンタ値として設定される。すなわち、次回の遊技において、演出抽選テーブル選択手段210が参照する際の抑制カウンタ値となる。そして、当該演出設定処理が終了する。
なお、ステップ５０８では「不等号」の記号のみで「等号」の記号が記載されていないが、「不等号のみ」に代えて「不等号及び等号」の両方の記号を記載してもよい。具体的にはたとえば遊技開始時の抑制カウンタ値が「４」のときに、１だけ加算した値「５」と、抽選による新たな抑制カウンタ値「５」とが同一となるような場合には、いずれのルートが選択されても、抑制カウンタ値は結果として同じ数値「５」となる。このため、本実施の形態ように、「不等号のみ」にして加算処理の結果、当該数値「５」になったとしてもよく、また、「不等号及び等号」にして新たな抑制カウンタ値「５」を選択したことによって当該数値「５」になったとすることもできる。
【０１１４】
本実施の形態によれば、抑制カウンタ値は１回の遊技が行われる毎に増えることのみとなり、抑制カウンタ値は遊技毎に前記閾値以上へ向かって確実に向かうことになる。演出抽選テーブル230として抑制テーブル234を使用する状態が、遊技を進めて遊技回数を積み重ねることで確実に終息する方向へ向かうことが保証される。すなわち、遊技を進めることで、演出抽選テーブル230として抑制テーブル234を使用する状態から発生テーブル232を使用する状態へ確実に移行させることが可能となり、高確率で演出を発生させることができる状態へ確実に移行させることができる。
本実施の形態では、ステップ５０８において、新たな抑制カウンタ値が、ステップ５０４の加算後のカウンタ値より大きいときには、抑制カウンタ設定手段245は、ステップ５０９を経て抑制カウンタ再設定決定手段250が決定した数値を新たな抑制カウンタ値として設定する。すなわち、新たな抑制カウンタ値が、ステップ５０４の加算後のカウンタ値以下であるときには、抑制カウンタ設定手段245は、ステップ５０９を経ずに抑制カウンタ再設定決定手段250が決定した数値を抑制カウンタ値として設定しない。ここで、判断条件はこれに限定されるものではなく、たとえば、抑制カウンタ設定手段245は、ステップ５０８において、新たな抑制カウンタ値が、ステップ５０４の加算前の遊技開始時の抑制カウンタ値より小さいときには、ステップ５０９を経ずに、抑制カウンタ再設定決定手段250が決定した数値を抑制カウンタ値として設定しないようにしてもよいものである。
【０１１５】
（第５の実施の形態）
本実施の形態は、カウンタ無設定手段258の変形例である。
第１の実施の形態のカウンタ無設定手段258は、役抽選手段130の抽選結果、ハズレの場合であっても、図６（３）のカウンタ設定抽選用抽選テーブルを用いて、抽選を行い、２５６分の２５６の抽選確率で書き換え無しとなって処理されていた。
本実施の形態のカウンタ無設定手段258は、役抽選手段130の抽選結果、ハズレの場合には、カウンタ設定抽選用抽選テーブルを用いた抽選を行わずに処理をするものである。具体的には、図１５に示すように、図８のフローにステップ６０５の処理を挿入しているものである。なお、本実施の形態では、図６（３）のカウンタ設定抽選用抽選テーブルの当選役グループの欄の「ハズレ」の欄は設けられていない。その他の構成及び作用効果は第１の実施の形態と同様のものである。
【０１１６】
ステップ６０５において、役抽選手段130の抽選結果が、当選役グループ「リプレイ」に当選またはハズレであるか否かが、メイン遊技結果判定手段254により判定される。そして、当選役グループ「リプレイ」に当選またはハズレであると判定された場合には、当該演出設定処理が終了するため、抑制カウンタ値に新たな値が設定されない。一方、役抽選手段130の抽選結果が、当選役グループ「リプレイ」に当選ではなく、ハズレでもない、と判定された場合には、次のステップ６０６に進むものである。
これにより、無駄な抽選処理が不要となり、判断処理の時間を短縮することができる。
なお、本実施の形態は、第１の実施の形態のバリエーションであるが、第２の実施の形態においても、図１１のフローのステップ３０４の後に、上記で説明したステップ６０５と同様の判断処理を挿入することにより、第２の実施の形態でも本実施の形態と同様の作用効果を奏することができる。
【０１１７】
（第６の実施の形態）
本実施の形態は、カウンタ無設定手段258の変形例である。
本実施の形態のカウンタ無設定手段258は、メイン遊技結果判定手段254による判定結果が所定の結果であり、かつ、演出抽選テーブル選択手段210が演出抽選テーブル230として発生テーブル232を選択していると、抑制カウンタの値に新たな値を設定しないとする。
具体的には、図１６に示すように、第１の実施の形態の図８のフローのステップ２０４とステップ２０５との間に、図１６のステップ７０５と、ステップ７０６との処理を加えているものである。なお、本実施の形態では、第１の実施の形態の図６（３）のカウンタ設定抽選用抽選テーブルの当選役グループのハズレの欄が、「書換なし」だけではなく、新たな抑制カウンタ値（たとえば、「１５」や、「１０」等）にも当選し得るような抽選確率となっているものである。その他の構成や、作用効果は第１の実施の形態と同様のものである。
【０１１８】
ステップ７０５において、メイン遊技結果判定手段254により役抽選手段130の抽選結果が当選役グループ「リプレイ」に当選であるか、また、ハズレであるか否かが判定される。当選役グループ「リプレイ」に当選であるか、また、ハズレであると判定された場合には次のステップ７０６に進み、それ以外の場合にはステップ７０７に進む。
ステップ７０６において、カウンタ無設定手段258により、演出抽選テーブル選択手段210により発生テーブル232が選択されていたか否かが判定される。発生テーブル232が選択されていると判定された場合には当該演出設定処理が終了する。ここで、発生テーブル232が選択されている場合は、抑制カウンタ値の値が「０」である場合であるので、ステップ７０６においてＹＥＳであれば、抑制カウンタ値に新たな値を設定しないため、抑制カウンタ値は、「０」が維持される。一方、ステップ７０６において、発生テーブル232が選択されていないと判定された場合にはステップ７０７に進む。
【０１１９】
なお、第１の実施の形態でも説明したが、ステップ７０４の減算処理においては、減算前の抑制カウンタ値が０であれば、減算処理は行われない。
具体的には、本実施の形態は、図９のゲーム数１８、１９に示すように、役抽選手段130の役抽選の結果がハズレであり、発生テーブル232が選択されている場合である。このときには、抑制カウンタ値は０の値が維持される。これにより、演出が発生し易い状態が次回の遊技でも維持されることになる。つまり、複数回の遊技において演出が発生し易い状態を維持することとなる。結果として、発生テーブル232が選択された状態で、役抽選の結果がハズレという遊技者の期待感が低くなるような結果が出ても、演出が発生するまで演出が発生し易い状態を継続させることが可能となり、遊技者の関心を維持することができる。
【０１２０】
なお、本実施の形態は、第１の実施の形態のバリエーションであるが、第２の実施の形態のバリエーションにおいても、特に図示していないが、図１１のフローのステップ３０４の後に、上記で説明したステップ７０５とステップ７０６と同様の処理を挿入することにより、第２の実施の形態でも本実施の形態と同様の作用効果を奏することができる。
すなわち、第２の実施の形態においても、カウンタ無設定手段258は、メイン遊技結果判定手段254による判定結果が所定の結果であり、かつ、演出抽選テーブル選択手段210が演出抽選テーブル230として発生テーブル232を選択していると、抑制カウンタの値に新たな値を設定しないとする。なお、第２の実施の形態と同様に、加算処理においては、加算前の抑制カウンタ値が１５であれば、加算処理は行わない。
【０１２１】
上述した第２の実施の形態のバリエーションでは図１２のゲーム数１８、１９に示すように、役抽選手段130の役抽選の結果がハズレであり、発生テーブル232が選択されている場合である。このときには、抑制カウンタ値は１５の値が維持される。これにより、演出が発生し易い状態が次回の遊技でも維持されることになる。つまり、複数回の遊技において演出が発生し易い状態を維持することとなる。結果として、発生テーブル232が選択された状態で、役抽選の結果がハズレという遊技者の期待感が低くなるような結果が出ても、演出が発生するまで演出が発生し易い状態を継続させることが可能となり、遊技者の関心を維持することができる。
【０１２２】
（第７の実施の形態）
本実施の形態は、第１の実施の形態に用いたカウンタ設定抽選用抽選テーブルのバリエーション（変形例）を示すものである。具体的には、当選役グループの左押しベル１の場合を例示しているものであって、当選役グループと、抑制カウンタ値の値とに基づいて、新たな抑制カウンタ値を選択するものである。
第１の実施の形態では、図６（３）に示すように、当選役グループが左押しベル１の場合には、抑制カウンタ値の有無やその値の大小に関係なく、１種類の抽選確率による新たな抑制カウンタ値が設定されていた。
【０１２３】
本実施の形態では、図１７（１）に示すように、当選役グループが左押しベル１の場合には、減算後の抑制カウンタ値の値が、０と、１〜８と、９〜１０と、１１〜１４との４種類の抽選確率による新たな抑制カウンタ値が設定されている。すなわち、減算後の抑制カウンタ値に基づいて、新たな抑制カウンタ値の抽選確率のパターンが４種類存在することになる。これにより、遊技開始時の抑制カウンタ値を考慮した新たな抑制カウンタ値を選択することが可能となる。新たな抑制カウンタ値の抽選が１パターンの単純なものから、演算後の抑制カウンタ値に基づく複数種類の複雑なものにすることができ、抑制カウンタ値の抽選による変更により多くの変化を与えることができる。
【０１２４】
また、図１７（２）に示すように抽選確率を調整するだけで、第３の実施の形態の図１３のステップ４０７とステップ４０８との処理を用いることなく、新たな抑制カウンタ値を再設定する際に、第３の実施の形態に示す抑制カウンタ値を増やす変更をしないようにすることができる。具体的には、減算後の抑制カウンタ値が１〜８のときは、「書換なし」となり、抑制カウンタ値が９〜１０のときは、新たな抑制カウンタ値が、「書換なし」又は「８」となり、抑制カウンタ値が１１〜１４のときは、新たな抑制カウンタ値が、「書換なし」「８」又は「１０」となるものである。これにより、処理用のプログラム等を用いることなく、カウンタ設定抽選用抽選テーブルの数値を変更するだけで第３の実施の形態に示す抑制カウンタを増やす変更をしないようにすることができる。
【０１２５】
なお、図１７（１）（２）に示すように、抑制カウンタ減算手段270による減算後の抑制カウンタ値に基づいて、カウンタ設定抽選用抽選テーブルを設けたが、特にこれに限定されるものではない。具体的には図１７（３）に示すように、抑制カウンタ減算手段270による減算前の抑制カウンタ値に基づいて、新たな抑制カウンタ値の抽選確率を設定してもよいものである。なお、その他の構成や作用効果は第１の実施の形態と同様のものである。また、本実施の形態は第１の実施の形態のバリエーションであるが、第２の実施の形態のバリエーションにおいても、新たな抑制カウンタ値の配列や抽選確率を図１７に示す考え方と略同様に設定することにより同様の作用効果を奏することができる（図１０参照。）。
【０１２６】
上述した第１〜第７の実施の形態では、抑制カウンタ再設定決定手段250は、遊技において発生する結果が「特定の結果」であるときには、たとえば第１の実施の形態では抑制カウンタ値を閾値以下に設定し、たとえば第２の実施の形態では抑制カウンタ値を閾値以上にしていた。上記実施の形態では、図５の当選役チェリーの当選のようにボーナスゲームとの重複当選が設定された当選役の当選を「特定の結果」としていたが、特にこれに限定されるものではない。たとえば遊技者にとって有利なストップスイッチ50の操作態様を報知手段により報知するアシスト機能を有するスロットマシンに適用し、アシスト機能が動作する契機を上述した「特定の結果」としてもよい。具体的には、所定の当選役に当選するとアシスト機能が動作する可能性が高くなるように設定され、当該所定の当選役に当選することを上記「特定の結果」としてもよい。
【０１２７】
なお、遊技者にとって有利なストップスイッチ50の操作態様を報知する例としては、図５（２）に示す左押しベル１に当選した場合において、前述の「正解の押し順」を報知することが考えられる。この報知に従った操作順序でストップスイッチ50を操作することにより、遊技者は当選役の取りこぼしを防ぐことができるため、このような報知は遊技者にとって有利な報知となる。また、図５（２）に示すように、スイカナナ１に当選した場合において、当選役としてスイカナナ１に当選した旨を報知することが考えられる。この報知がされると、遊技者は右リール68の停止操作において「赤７」を狙ってストップスイッチ50を操作することができる（図４（３）参照）。この報知に従った操作タイミングでストップスイッチ50を操作することにより、遊技者は当選役の取りこぼしを防ぐことができる。このような報知は遊技者にとって有利な報知となる。
【符号の説明】
【０１２８】
10  遊技機                              12  筐体
14  前扉                                16  表示窓
20  上パネル                            22  下パネル
24  貯留払出手段                        26  メダル受け皿
28  メダル払出口                        30  操作部
32  シングルベットスイッチ              34  マックスベットスイッチ
36  精算スイッチ                        38  メダル投入口
40  スタートスイッチ                    50  ストップスイッチ
60  リールユニット                      62  リール
64  左リール                            66  中リール
68  右リール                            72  スピーカー
74  上部スピーカー                      76  下部スピーカー
78  演出用ランプ                        80  上部ランプ
82  下部ランプ                          84  液晶表示器
86  入賞ライン                          100  制御装置
110  メイン制御部                      120  遊技制御手段
130  役抽選手段                        140  停止制御手段
150  停止図柄判定手段                  160  利益付与手段
200  演出制御部                        210  演出抽選テーブル選択手段
220  演出発生抽選手段                  225  演出選択抽選手段
230  演出抽選テーブル                  232  発生テーブル
234  抑制テーブル                      240  抑制カウンタ記憶手段
245  抑制カウンタ更新手段              250  抑制カウンタ再設定決定手段
252  抑制カウンタ設定抽選手段          254  メイン遊技結果判定手段
256  カウンタ値選択抽選手段            258  カウンタ無設定手段
260  カウンタ設定手段                  270  抑制カウンタ減算手段
272  抑制カウンタ加算手段              280  演出装置駆動手段
【図１】
0005576459.tif 000002
【図２】
0005576459.tif 000003
【図３】
0005576459.tif 000004
【図４】
0005576459.tif 000005
【図５】
0005576459.tif 000006
【図６】
0005576459.tif 000007
【図７】
0005576459.tif 000008
【図８】
0005576459.tif 000009
【図９】
0005576459.tif 000010
【図１０】
0005576459.tif 000011
【図１１】
0005576459.tif 000012
【図１２】
0005576459.tif 000013
【図１３】
0005576459.tif 000014
【図１４】
0005576459.tif 000015
【図１５】
0005576459.tif 000016
【図１６】
0005576459.tif 000017
【図１７】
0005576459.tif 000018